(57)【要約】【課題】蓄電池群の状態をなるべく均一にして均一な充電ができ、蓄電池の長寿命化を図ることができる技術を提供する。【解決手段】蓄電池状態監視システムは、蓄電池５と子機４（測定通信装置）とを備える複数の蓄電池装置６と、各子機４に通信接続される親機３（通信装置）とを備える。子機４は、蓄電池５に通電してパラメータを測定し、測定値を含む測定データを記憶する測定手段と、測定データ信号を親機３へ送信する通信手段とを有する。子機４は、親機３からの所定の信号の受信に応じて、測定の際の単位時間測定回数または測定周期を変化させる。これにより、複数の蓄電池５の状態がなるべく均一になるように調整する。【選択図】図７
2019060774.tif 000002
【特許請求の範囲】
【請求項１】
１つ以上の蓄電池と前記１つ以上の蓄電池に接続された測定通信装置とを備える複数の蓄電池装置と、
前記複数の蓄電池装置における複数の測定通信装置の各々を子機として通信接続される親機である１つ以上の通信装置と、
前記１つ以上の通信装置に対して通信接続されるサーバ装置と、
前記１つ以上の蓄電池に対する充電を行う制御電源装置と、
を備え、
前記測定通信装置は、
前記１つ以上の蓄電池に通電してパラメータを測定し、測定値を含む測定データを記憶する測定手段と、
前記測定データを含む測定データ信号を、前記通信装置へ送信する通信手段と、
を有し、
前記通信装置は、前記複数の蓄電池装置から取得した複数の前記測定データを、前記サーバ装置へ送信し、
前記サーバ装置は、前記通信装置から受信した前記測定データを用いて、前記蓄電池の状態の監視処理を行い、監視情報をユーザに対して出力し、
前記測定通信装置は、前記通信装置からの所定の信号の受信に応じて、前記測定の際の単位時間測定回数または測定周期を変化させる、
蓄電池状態監視システム。
【請求項２】
請求項１記載の蓄電池状態監視システムにおいて、
前記測定手段は、前記パラメータとして、温度、電圧、及び内部抵抗としてインピーダンスを測定し、
前記測定通信装置は、前記内部抵抗の前記測定の際の前記単位時間測定回数または測定周期を変化させる、
蓄電池状態監視システム。
【請求項３】
請求項１記載の蓄電池状態監視システムにおいて、
前記複数の蓄電池装置のうち、前記１つ以上の蓄電池の電圧または内部抵抗が相対的に高い蓄電池装置を対象として、他の蓄電池装置よりも相対的に前記単位時間測定回数を多くするように変化させる、または前記測定周期を短くするように変化させる、
蓄電池状態監視システム。
【請求項４】
請求項１記載の蓄電池状態監視システムにおいて、
前記複数の蓄電池装置のうち、前記１つ以上の蓄電池の電圧または内部抵抗が相対的に低い蓄電池装置を対象として、他の蓄電池装置よりも相対的に前記単位時間測定回数を少なくするように変化させる、または前記測定周期を長くするように変化させる、
蓄電池状態監視システム。
【請求項５】
請求項１記載の蓄電池状態監視システムにおいて、
前記通信装置は、前記測定通信装置へ、前記単位時間測定回数または測定周期の指定を含む設定信号を送信し、
前記測定通信装置は、前記設定信号に従って、自機の前記単位時間測定回数または測定周期を設定する、
蓄電池状態監視システム。
【請求項６】
請求項１記載の蓄電池状態監視システムにおいて、
前記通信装置は、前記測定通信装置へ、前記単位時間測定回数の指定を含む測定指示信号を送信し、
前記測定通信装置は、前記測定指示信号に従って、前記指定された単位時間測定回数で前記測定を行う、
蓄電池状態監視システム。
【請求項７】
請求項１記載の蓄電池状態監視システムにおいて、
前記蓄電池装置は、直列接続された複数の蓄電池から成る蓄電池ブロックを含み、
前記測定通信装置は、前記蓄電池ブロックの各々の蓄電池毎に、前記単位時間測定回数または測定周期を変化させる、
蓄電池状態監視システム。
【請求項８】
請求項１記載の蓄電池状態監視システムにおいて、
前記蓄電池は、鉛蓄電池である、
蓄電池状態監視システム。
【請求項９】
複数の蓄電池装置を備える電源装置であって、
前記複数の蓄電池装置の各々の蓄電池装置は、１つ以上の蓄電池と前記１つ以上の蓄電池に接続された測定通信装置とを備え、
前記測定通信装置は、
前記１つ以上の蓄電池に通電してパラメータを測定し、測定値を含む測定データを記憶する測定手段と、
前記測定データを含む測定データ信号を、外部の通信装置へ送信する通信手段と、
を有し、
前記複数の蓄電池装置における複数の蓄電池は、直列接続されている複数の蓄電池を含み、前記直列接続されている複数の蓄電池は、制御電源装置の制御に基づいて充電が行われ、
前記測定通信装置は、前記外部の通信装置からの所定の信号の受信に応じて、前記測定の際の単位時間測定回数または測定周期を変化させる、
電源装置。
【請求項１０】
請求項９記載の電源装置において、
前記測定手段は、前記パラメータとして、温度、電圧、及び内部抵抗としてインピーダンスを測定し、
前記測定通信装置は、前記内部抵抗の前記測定の際の前記単位時間測定回数または測定周期を変化させる、
電源装置。
【請求項１１】
請求項９記載の電源装置において、
前記蓄電池装置は、直列接続された複数の蓄電池から成る蓄電池ブロックを含み、
前記測定通信装置は、前記蓄電池ブロックの各々の蓄電池毎に、前記単位時間測定回数または測定周期を変化させる、
電源装置。
【請求項１２】
請求項９記載の電源装置において、
前記蓄電池は、鉛蓄電池である、
電源装置。
【発明の詳細な説明】
【技術分野】
【０００１】
本発明は、蓄電池の状態を監視する蓄電池状態監視システム等の技術に関し、特に、バックアップや出力変動等の用途で常に機器に接続された蓄電池に通電して状態を推定する技術に関する。
【背景技術】
【０００２】
常時稼働の必要がある重要な機器やシステムでは、無停電電源装置（ＵＰＳ：Uninterruptible Power Supply）や電力制御装置（ＰＣＳ：Power Conditioning System）等の機器やシステムが用いられる場合がある。例えば、停電や瞬断等、商用電源（電力系統）からの電力供給が途絶えた場合、あるいはその電力を利用しない場合やできない場合（総称して「非常時等」と記載する場合がある）が発生し得る。その非常時等の場合でも、顧客拠点の機器やシステム等の負荷に電力供給を継続できるように、ＵＰＳやＰＣＳ等の機器やシステム（制御電源装置と記載する場合がある）が用いられる。制御電源装置には、蓄電池群を備える電源装置が接続または内蔵されている。電源装置及び制御電源装置等を含むシステムを、蓄電池システムと記載する場合がある。電源装置の蓄電池群は、制御電源装置を通じて、顧客拠点の機器等の負荷に常に接続されている。蓄電池群は、非常時等に負荷に対して供給するための電力を蓄積する。蓄電池群は、通常時には、制御電源装置の制御に基づいて、商用電源からの供給電力によって充電の動作が行われる。蓄電池群は、非常時等には、制御電源装置の制御に基づいて、負荷への放電の動作が行われる。
【０００３】
蓄電池は、非動作状態でも経年劣化する。一般的に、周囲温度が高いほど劣化が進むことが知られている。蓄電池の劣化による寿命や故障等が原因で、蓄電池の正常な放電等の動作が行われない事態が発生し得る。従って、蓄電池群を備える機器やシステムでは、その事態の発生を回避できるように、蓄電池群の状態監視等を行う方式の適用が有効である。蓄電池状態監視システムは、蓄電池群の状態を監視し、各蓄電池の充電状態や寿命を推定し、劣化や異常等を判定、検出し、ユーザに対して通知する。
【０００４】
上記蓄電池状態監視システム等に係わる先行技術例として、特開２００５−２６１５３号公報（特許文献１）が挙げられる。特許文献１には、蓄電池監視システムとして、複数の蓄電池からなる組電池の温度を検出し、各単電池の電圧や内部抵抗を測定し、これらの検出結果及び測定結果に応じて単電池の寿命を判定する旨が記載されている。また、特許文献１には、蓄電池監視ユニットの制御部から、判定結果等の情報を、インタフェースを介して、遠隔監視装置等に伝送や報知する旨が記載されている。
【先行技術文献】
【特許文献】
【０００５】
【特許文献１】特開２００５−２６１５３号公報
【発明の概要】
【発明が解決しようとする課題】
【０００６】
従来技術例の蓄電池状態監視システムでは、蓄電池に通電して蓄電池の電圧、温度、内部抵抗等の所定のパラメータを測定する。そのシステムでは、それらの測定データを用いて、蓄電池の状態の推定や判定を行う。このシステムでは、蓄電池の状態を測定して測定データを取得するための手段として、蓄電池に測定通信装置が設置される。測定通信装置は、蓄電池の電圧等のパラメータを測定する測定機能と、測定データを外部の上位の装置へ送信する通信機能とを有する。なお、測定装置と通信装置とで別体でもよい。
【０００７】
従来、顧客拠点の蓄電池システムにおいて、電源装置の蓄電池群について、任意時点でユーザが自己点検として所望の蓄電池のパラメータを測定し、状態を調べる場合がある。その場合、複数の蓄電池の測定や複数回の測定のために、ユーザの作業の手間がかかる。また、それだけでなく、各蓄電池に個体差があることや、複数の各々の蓄電池に対する測定の総回数や頻度等に差異が生じることで、複数の各々の蓄電池の電圧や内部抵抗等の状態に差異が生じる。何回も測定が行われた蓄電池と、あまり測定が行われていない蓄電池とでは、状態にばらつきが生じる。即ち、蓄電池群の状態が不均一になる場合がある。蓄電池の内部抵抗等のパラメータの測定の際には、通電するので、相応の放電が生じる。その放電の分、蓄電池の電圧や内部抵抗が低下し、充電量が低下する。
【０００８】
制御電源装置の制御に基づいて、電源装置の直列接続されている複数の蓄電池を充電する際に、個々の蓄電池の内部抵抗等の状態が異なる場合には、均一な充電ができない。蓄電池システムとしては、複数の蓄電池の状態をなるべく均一にし、均一な充電ができることが好ましい。蓄電池群の均一な充電によって、蓄電池の長寿命化を図ることができる。
【０００９】
本発明の目的は、蓄電池状態監視システムの技術に関して、蓄電池群の状態をなるべく均一にして均一な充電ができ、蓄電池の長寿命化を図ることができる技術を提供することである。
【課題を解決するための手段】
【００１０】
本発明のうち代表的な実施の形態は、蓄電池状態監視システム等であって、以下に示す構成を有することを特徴とする。
【００１１】
一実施の形態の蓄電池状態監視システムは、１つ以上の蓄電池と前記１つ以上の蓄電池に接続された測定通信装置とを備える複数の蓄電池装置と、前記複数の蓄電池装置における複数の測定通信装置の各々を子機として通信接続される親機である１つ以上の通信装置と、前記１つ以上の通信装置に対して通信接続されるサーバ装置と、前記１つ以上の蓄電池に対する充電を行う制御電源装置と、を備え、前記測定通信装置は、前記１つ以上の蓄電池に通電してパラメータを測定し、測定値を含む測定データを記憶する測定手段と、前記測定データを含む測定データ信号を、前記通信装置へ送信する通信手段と、を有し、前記通信装置は、前記複数の蓄電池装置から取得した複数の前記測定データを、前記サーバ装置へ送信し、前記サーバ装置は、前記通信装置から受信した前記測定データを用いて、前記蓄電池の状態の監視処理を行い、監視情報をユーザに対して出力し、前記測定通信装置は、前記通信装置からの所定の信号の受信に応じて、前記測定の際の単位時間測定回数または測定周期を変化させる。
【発明の効果】
【００１２】
本発明のうち代表的な実施の形態によれば、蓄電池状態監視システムの技術に関して、蓄電池群の状態をなるべく均一にして均一な充電ができ、蓄電池の長寿命化を図ることができる。
【図面の簡単な説明】
【００１３】
【図１】本発明の実施の形態の蓄電池状態監視システムの構成を示す図である。
【図２】実施の形態で、クラウドサーバ及び統括親機の構成を示す図である。
【図３】実施の形態で、親機及び子機の構成を示す図である。
【図４】実施の形態で、無線通信網の第１構成を示す図である。
【図５】実施の形態の変形例で、無線通信網の第２構成を示す図である。
【図６】実施の形態に対する比較例における、無線通信網の構成を示す図である。
【図７】実施の形態で、無線通信及び測定制御の概要を示す図である。
【図８】実施の形態で、測定周期及び単位時間測定回数の例を示す図である。
【図９】実施の形態で、蓄電池セルの測定制御例を示す図である。
【図１０】実施の形態で、蓄電池ブロックの測定制御例を示す図である。
【図１１】実施の形態で、設定信号の場合の無線通信シーケンス例を示す図である。
【図１２】実施の形態で、測定指示信号の場合の無線通信シーケンス例を示す図である。
【図１３】実施の形態で、クラウドサーバの処理のフローを示す図である。
【図１４】実施の形態で、統括親機の処理のフローを示す図である。
【図１５】実施の形態で、親機の処理のフローを示す図である。
【図１６】実施の形態で、子機の処理のフローを示す図である。
【図１７】実施の形態の変形例の蓄電池状態監視システムの構成を示す図である。
【発明を実施するための形態】
【００１４】
以下、本発明の実施の形態を図面に基づいて詳細に説明する。なお、実施の形態を説明するための全図において同一部には原則として同一符号を付し、その繰り返しの説明は省略する。
【００１５】
（実施の形態）
図１〜図２０を用いて、本発明の実施の形態の蓄電池状態監視システム及び蓄電池装置等について説明する。
【００１６】
［蓄電池状態監視システム（１）］
図１は、実施の形態の蓄電池状態監視システムの全体の構成を示す。実施の形態の蓄電池状態監視システムは、クラウドサーバ１及びＤＢ１００と、顧客拠点毎の複数の各々の蓄電池システムと、顧客毎の複数の各々のユーザ端末９とを有し、それらが広域通信網９０を通じて接続されている。顧客拠点毎の蓄電池システムは、拠点制御装置２０、複数の親機３（３Ａ，３Ｂ）、電源装置４０、制御電源装置６０等を有し、それらが通信網７０及び無線通信網８０を通じて接続されている。拠点制御装置２０は、ゲートウェイサーバ２１及び統括親機２を含む。電源装置４０は、複数（例えばｎ個）の蓄電池５による蓄電池群５０と、複数（例えばｍ個）の子機４とを含む。蓄電池５と子機４とを含む部分は、測定通信装置付き蓄電池である蓄電池装置６である。言い換えると、電源装置４０は、複数の蓄電池装置６を備える。
【００１７】
クラウドサーバ１は、言い換えると監視処理装置であり、監視処理を行うサーバ装置である。このサーバ装置は、ＯＳやミドルウェア上に、クラウドサーバ１としての機能を実現するサーバプログラム等が実装されている。クラウドサーバ１は、拠点制御装置２０を通じて各顧客拠点から収集した測定データに基づいて、各電源装置４０の各蓄電池５の状態を推定や判定する監視処理を行う。クラウドサーバ１は、監視処理の結果、蓄電池５の状態等を表す監視情報を記録、出力する。クラウドサーバ１には、ＤＢ１００が接続されている。ＤＢ１００には、監視処理のための設定情報や測定データ、監視情報等が格納される。広域通信網９０上には事業者のクラウドコンピューティングシステムを有し、クラウドコンピューティングシステムにおいてクラウドサーバ１及びＤＢ１００を含む。広域通信網９０は、インターネット等を含み、クラウドサーバ１、ゲートウェイサーバ２１、ユーザ端末９等が接続されている。なお、ＤＢ１００は、ＤＢサーバ等で構成されてもよいし、クラウドサーバ１のサーバ機器内に構成されてもよい。
【００１８】
クラウドサーバ１は、電源装置４０の各蓄電池５の温度、電圧、内部抵抗等の測定データを取得し、測定データに基づいて、蓄電池５の劣化の度合いや傾向を判定し、蓄電池５の充電状態（ＳＯＣ：state of charge）や寿命等を推定する。クラウドサーバ１は、判定に基づいて蓄電池５の異常や障害を検出する。なお、判定や推定等の処理の方式については特に限定しない。クラウドサーバ１は、ユーザからの指示等を受け付け、監視情報をユーザに出力するための、ユーザインタフェースを有する。
【００１９】
ユーザ端末９は、顧客拠点の管理者等のユーザが使用するＰＣ等の任意の端末装置であり、Ｗｅｂブラウザやメールクライアント等を備える。ユーザは、ユーザ端末９を操作して、クラウドサーバ１や統括親機２に対する指示や設定の作業が可能である。ユーザは、ユーザ端末９を通じて、クラウドサーバ１や統括親機２から、設定情報や監視情報を参照可能である。例えば、ユーザ端末９のＷｅｂブラウザのＷｅｂページ画面には、設定情報や監視情報等が表示される。ユーザ端末９は、統括親機２等に接続される専用端末装置としてもよい。統括親機２にユーザインタフェース機能が実装された形態でもよい。
【００２０】
顧客拠点毎に、図示しないが顧客の機器やシステム（一例としては銀行システム）等の負荷を有する。顧客拠点毎に、蓄電池状態監視システムの一部を構成する蓄電池システムを有する。蓄電池システムは、拠点制御装置２０、電源装置４０、制御電源装置６０を含む。電源装置４０の蓄電池群５０は、制御電源装置６０を通じて、負荷及び電力系統（商用電源）に電気的接続されている。蓄電池システムは、顧客の機器やシステムのバックアップ等のために用いられる。即ち、停電等の非常時等には、制御電源装置６０の制御を通じて、電源装置４０の蓄電池群５０から負荷へ放電による電力が供給される。また、停電からの復帰時等、通常時には、制御電源装置６０の制御を通じて、電力系統から蓄電池群５０へ電力が供給されて充電が行われる。通常時には、充電によって、蓄電池５の充電状態（ＳＯＣ）が１００％に近付けられる。
【００２１】
拠点制御装置２０は、顧客拠点毎の蓄電池システムにおける制御を行う部分であり、クラウドサーバ１との連携や、下位の装置である親機３に対する制御を行う。ゲートウェイサーバ２１は、広域通信網９０及び統括親機２に対する通信インタフェースを有し、統括親機２との通信に基づいてクラウドサーバ１との通信を行う。なお、ゲートウェイサーバ２１と統括親機２とが１つの拠点制御装置２０として実装された形態でもよい。
【００２２】
統括親機２は、顧客拠点の蓄電池システムにおける複数の親機３（３Ａ，３Ｂ）を統括する装置である。統括親機２は、例えば専用のサーバ機器で構成される。このサーバ機器は、ＯＳやミドルウェア上に、統括親機２としての機能を実現するアプリケーションプログラム（サーバプログラム）等が実装されている。統括親機２は、ゲートウェイサーバ２１及び通信網７０に対する通信インタフェースを有し、クラウドサーバ１や親機３との通信処理を行う。通信網７０には、統括親機２、複数の親機３、及び制御電源装置６０が接続されている。通信網７０は、有線または無線のＬＡＮ、専用線等である。実施の形態では、通信網７０は、有線ＬＡＮであり、例えばＥｔｈｅｒｎｅｔ（登録商標）を用いる。なお、通信網７０における有線／無線等の通信規格やプロトコルは、特に限定されず、公知技術を適用できる。
【００２３】
親機３は、無線通信網８０における無線通信親機であり、言い換えると、統括親機２と子機４との間に配置された中継装置である。親機３は、統括親機２との通信インタフェース、及び子機４との無線通信インタフェースを備える。親機３は、統括親機２と通信を行い、統括親機２からの指示等の信号の受信や、統括親機２への測定データ等の信号の送信を行う。また、親機３は、関係付けられる複数の子機４と無線通信を行い、各子機４への要求信号等の送信や、各子機４からの測定データ等の応答信号の受信を行う。
【００２４】
実施の形態では、複数の親機３として、２台の親機３Ａ，３Ｂを有する。後述するが（図４）、複数の親機３は、複数の子機４に対し、所定の対応関係で接続される。実施の形態では、無線通信網８０における親機３と子機４との無線通信は、後述する所定の方式で行われる（図７）。これにより、親機３が複数の各子機４から正しい測定データをより確実に取得できるようにする。
【００２５】
無線通信網８０は、ＷＰＡＮ（Wireless Personal Area Network）であり、言い換えると近距離／短距離無線通信網である。実施の形態では、無線通信網８０は、通信規格として、ＩＥＥＥ８０２．１５．４に準拠する。空間内で比較的近接位置に複数の蓄電池５及び複数の子機４が配置されている。隣接する蓄電池５及び隣接する子機４の間隔は比較的狭い。ＷＰＡＮでは、近距離／短距離の無線通信が行われ、低消費電力を実現できる。無線通信網８０は、ツリー型のトポロジで構成される。
【００２６】
電源装置４０は、複数（ｎ個）の蓄電池５による蓄電池群５０、及び複数（ｍ個）の子機４を備える。蓄電池群５０は、例えば直列接続された複数の蓄電池５から成る組電池である。なお、蓄電池群５０は、更に、並列接続された組電池から構成されてもよい。実施の形態では、蓄電池５は、鉛蓄電池であるが、他の種類の蓄電池も適用可能である。本例では、顧客拠点に１つの電源装置４０を備えるが、複数を備えてもよい。
【００２７】
各蓄電池５には、子機４が設置されている。子機４は、蓄電池５の所定の位置（例えば蓋部）に固定して設置されている。子機４は、所定数の蓄電池５毎に関係付けて設置されている。子機４は、測定対象の蓄電池５の端子に対して電線を通じて接続されている。実施の形態では、蓄電池５に対し子機４が一対一の関係で設置されている（ｍ＝ｎである）。即ち、１個の蓄電池５と１個の子機４とが接続されて、１個の蓄電池装置６が構成されている。測定通信装置付き蓄電池である蓄電池装置６は、測定機能及び無線通信機能を有する。
【００２８】
なお、子機４は、所定の複数の蓄電池５から成るグループ毎に１つが設置されてもよい。例えば、所定の複数個の蓄電池５の直列接続による単位（蓄電池ブロック）毎に１つの子機４が設置されてもよい。子機４の設置数は、蓄電池５の電圧、蓄電池状態監視システムのコストや消費電力、実現したい監視精度、等の観点に応じて選択される。
【００２９】
子機４は、無線通信網８０における無線通信子機であり、測定通信装置である。子機４は、蓄電池５の所定のパラメータを測定する測定機能を有し、所定の測定タイミングで測定を行い、測定データを記憶する。子機４は、親機３との無線通信を行う無線通信機能を有し、測定データを含む測定データ信号を親機３へ送信する。
【００３０】
なお、実施の形態の変形例として、子機４は、測定装置と通信装置とで構成されてもよい。その測定装置は、蓄電池５を測定し、測定データを記憶する。その通信装置は、測定装置から測定データを読み出し、測定データ信号を親機３へ送信する。
【００３１】
制御電源装置６０は、電力制御装置（ＰＣＳ）、無停電電源装置（ＵＰＳ）、または直流電源装置等である。制御電源装置６０は、電源装置４０の蓄電池群５０に接続されており、負荷及び電力系統に接続されている。負荷は、顧客拠点の機器やシステム等の電気的負荷であり、一例としては銀行システムが挙げられる。制御電源装置６０は、停電等の状態を検出し、その状態に応じて、電源装置４０の蓄電池群５０から負荷への放電の動作や、電力系統から蓄電池群５０への充電の動作を制御する。制御電源装置６０は、基本的な制御として、電源装置４０の蓄電池群５０の充電状態（ＳＯＣ）を１００％に維持する。制御電源装置６０は、例えば、停電の検出時に、蓄電池群５０から負荷への放電を開始させ停電からの復帰の検出時に、電力系統から蓄電池群５０への充電を開始させる。充電状態（ＳＯＣ）の値（％）は、放電に伴い低下し、充電に伴い増加する。
【００３２】
制御電源装置６０は、上記のような制御機能を有するので、電源装置４０の蓄電池群５０の充電及び放電の有無やタイミング、その時に蓄電池群５０に流れる電流値等を把握する機能を有する。制御電源装置６０は、充電及び放電のタイミングや電流値等の情報（充放電情報と記載する）を出力する。例えば、制御電源装置６０は、充放電情報を、通信網７０を介して統括親機２へ通知する。あるいは、統括親機２は、通信網７０を介して制御電源装置６０にアクセスして充放電情報を取得できる。統括親機２やクラウドサーバ１は、充放電情報に基づいて、測定や測定データ取得を制御する。クラウドサーバ１は、充電や放電の際の電流値を取得して、蓄電池５の直流抵抗値を計算する。
【００３３】
なお、電源装置４０と制御電源装置６０とが１つの装置として併合されていてもよい。子機４の測定機能の一部として蓄電池５の電流値を測定する機能を有してもよい。
【００３４】
［蓄電池状態監視システム（２）］
図１の蓄電池状態監視システムでの主な機能は以下である。拠点制御装置２０は、電源装置４０の各蓄電池５の状態を監視、把握する。更に、拠点制御装置２０とクラウドサーバ１とが通信で連携することで、クラウドサーバ１は、複数の各々の顧客拠点毎の蓄電池システムにおける電源装置４０の各蓄電池５の状態を、一元的に監視、把握する。クラウドサーバ１は、複数の顧客拠点の設定情報、測定データ、監視情報等を一元管理する。
【００３５】
蓄電池状態監視システムは、蓄電池群５０の各蓄電池５について、子機４を用いて、自動的に、通電した状態で所定のパラメータを測定する。子機４は、蓄電池５の温度、電圧、内部抵抗（特にインピーダンス）について、所定の測定タイミングで測定し、測定データを記憶する。蓄電池状態監視システムは、親機３や統括親機２を用いて、自動的に、測定データを取得する。親機３は、所定の取得タイミングで、子機３から測定データを取得する。統括親機２は、親機３から測定データを取得し、クラウドサーバ１へ送信する。そして、蓄電池状態監視システムは、クラウドサーバ１を用いて、収集した測定データに基づいて各蓄電池５の状態を判定や推定し、監視情報を出力する。
【００３６】
クラウドサーバ１は、統括親機２から測定データを取得、収集し、ＤＢ１００に格納する。クラウドサーバ１は、ＤＢ１００の測定データ等に基づいて、電源装置４０の各蓄電池５の状態の判定や推定等の監視処理を行う。クラウドサーバ１は、測定データの複数のパラメータの測定値または計算値に基づいて、所定の方式で、蓄電池５の劣化度合いや劣化傾向を多面的に判定し、蓄電池５の充電状態や寿命を推定する。また、クラウドサーバ１は、蓄電池５の劣化度合いや劣化傾向に基づいて、蓄電池５の故障や異常を判定する。また、クラウドサーバ１は、蓄電池５の余寿命を計算し、寿命が到来するよりも前の交換時期を計算する。クラウドサーバ１は、監視処理の際には、所定の時間関数の計算式やテーブルを用いて判定や推定の処理を行う。
【００３７】
クラウドサーバ１は、蓄電池５の状態の監視処理の結果を表す監視情報を作成し、ＤＢ１００に、対応する測定データと関係付けて記録する。監視情報は、顧客拠点毎に、電源装置４０の各蓄電池５のＩＤや位置、充電状態（ＳＯＣ）、寿命、余寿命、交換時期、その他の関連情報を含む。
【００３８】
クラウドサーバ１は、監視情報を、ユーザインタフェースを介して、ユーザに対して出力する。クラウドサーバ１は、電源装置４０の蓄電池５毎の状態をユーザに対して出力する。クラウドサーバ１は、蓄電池５の寿命や交換時期等をユーザに対して通知する。特に、クラウドサーバ１は、蓄電池５の故障や異常を検知した場合や、蓄電池５の寿命や交換時期が到来したと判定した場合には、その旨のアラートを即時に出力する。クラウドサーバ１は、例えば、監視情報を含むＷｅｂページを、ユーザ端末９のＷｅｂブラウザからのアクセスに対して提供する。あるいは、クラウドサーバ１は、監視情報を含むメールを、ユーザ端末９に送信する。クラウドサーバ１は、監視情報や測定データを、グラフ等の形式で作成して出力してもよい。ユーザは、監視情報及び必要に応じて測定データ等を参照することで、顧客拠点の電源装置４０の各蓄電池５の状態を確認でき、蓄電池５の寿命時期や交換時期を前もって知ることができる。ユーザは、蓄電池５の交換時期に早めに新品の蓄電池との交換の対応を行うことができる。
【００３９】
統括親機２は、クラウドサーバ１からの指示に基づいて、複数の親機３からの測定データの取得、収集に係わるスケジュールを設定し、そのスケジュール情報を、クラウドサーバ１や親機３へ送信する。統括親機２は、スケジュールに従って、複数の親機３から測定データを取得する。なお、他の実施の形態としては、クラウドサーバ１がスケジュールを作成、設定してもよい。
【００４０】
親機３は、取得周期やスケジュールの設定、または上位からの測定取得指示に基づいて、複数の子機４との無線通信で測定データを取得し、統括親機２へ送信する。親機３は、測定項目（パラメータ）毎に、取得周期やスケジュールに基づいて取得タイミングで、測定データ要求信号を子機４へ送信する。親機３は、スケジュールに基づいて、複数の子機４から並行的または逐次的に測定データを取得する。
【００４１】
子機４は、測定周期やスケジュールの設定、または上位からの測定取得指示に基づいて、パラメータ毎に所定の測定タイミングで、蓄電池５のパラメータを測定し、測定データを記憶する。子機４は、親機３から測定データ要求信号を受信した場合には、記憶しておいた測定データを含む測定データ応答信号を送信する。子機４は、測定取得指示の信号を受信した場合には、その時点で即時に測定を行い、測定データを含む信号を親機３へ送信する。
【００４２】
［蓄電池状態監視システム（３）］
図１では、蓄電池状態監視システムの主な通信や動作に関するステップＡ１〜Ａ９も示している。必要に応じて、クラウドサーバ１から、拠点制御装置２０（統括親機２）、親機３を通じて、子機４（蓄電池装置６）へと順に通信が行われる（ステップＡ２，Ａ３，Ａ４）。また、必要に応じて、その逆方向の通信が行われる（ステップＡ５，Ａ６，Ａ７）。クラウドサーバ１から下位の装置への通信は、種類として、設定、測定取得指示、測定データ取得要求等がある。設定は、測定周期や取得周期、後述の単位時間測定回数、等の設定がある。測定取得指示は、任意時点でのユーザ指示入力に基づいて即時に測定及び測定データ取得を行うための指示である。測定データ取得要求は、子機４で測定済みの測定データの取得要求である。
【００４３】
ステップＡ１は、ユーザ端末１からクラウドサーバ１（または統括親機２）への設定や指示等の通信を示す。ステップＡ２は、クラウドサーバ１から統括親機２への通信を示す。例えば、クラウドサーバ１は、設定またはユーザ指示入力に従って、統括親機２に設定や指示の信号を送信する。ステップＡ３は、統括親機２から親機３への通信を示す。例えば、統括親機２は、クラウドサーバ１からの設定や指示に基づいて、設定や指示の信号を親機３へ送信する。統括親機２は、スケジュールを設定し、そのスケジュール情報を親機３へ送信する。
【００４４】
ステップＡ４は、親機３から子機４への通信を示す。例えば、親機３は、統括親機２からの設定指示に基づいて、設定指示のための信号を子機４へ送信する。親機３は、統括親機２からの測定取得指示に基づいて、測定取得指示の信号を子機４へ送信する。親機３は、スケジュールに基づいて、複数の各子機４へ測定データ要求信号を送信する。
【００４５】
ステップＡ５は、子機４から親機３への通信を示す。例えば、子機４は、親機３からの測定データ要求信号に応じて、親機３へ測定データ信号を送信する。子機４は、親機３からの測定取得指示の信号に応じて、親機３へ測定データ信号を送信する。また、他の方式では、子機３は、自動的に所定の送信タイミングで測定データ信号を親機３へ送信する。
【００４６】
ステップＡ６は、親機３から統括親機２への通信を示す。例えば、親機３は、子機３から取得し記憶した測定データを含む信号を、統括親機２へ送信する。ステップＡ７は、統括親機２からクラウドサーバ１への通信を示す。例えば、統括親機２は、親機３から取得し記憶した測定データを、クラウドサーバ１へ送信する。統括親機２は、設定したスケジュール情報を、クラウドサーバ１へ送信する。ステップＡ８は、クラウドサーバ１からＤＢ１００へのアクセスを示す。例えば、クラウドサーバ１は、設定情報や測定データや監視情報をＤＢ１００に格納する。クラウドサーバ１は、ＤＢ１００から設定情報や測定データや監視情報を参照する。
【００４７】
ステップＡ９は、クラウドサーバ１等からユーザ端末９への通信を示す。例えば、クラウドサーバ１は、ユーザ端末９からのアクセスに応じて、設定情報や監視情報のＷｅｂページを、ユーザ端末９へ提供する。クラウドサーバ１は、蓄電池５の状態に応じたアラー
ト等を、ユーザ端末９へ通知する。
【００４８】
なお、上位の装置から親機３や子機４へ与える他の種類の信号として、装置起動指示（電源オン指示）や装置停止指示（電源オフ指示）等を設けてもよい。その場合、遠隔で上位の装置から下位の各装置の状態を切り替え可能である。
【００４９】
［蓄電池状態監視システム（４）］
図１の蓄電池状態監視システムで、主な設定やその設定動作については以下である。設定は、蓄電池状態監視システムの機能及び動作に関する設定がある。この設定は、事業者による固定の設定（システム設計事項）としてもよいし、あるいはユーザ設定機能によるユーザ設定を可能としてもよい。実施の形態では、ユーザ設定機能を提供し、ユーザがユーザ端末９から各種の設定を可能とする。
【００５０】
基本設定項目として、顧客拠点毎の電源装置４０、統括親機２、親機３、子機４（蓄電池装置６）、蓄電池５等の各要素についてのＩＤや通信アドレス等の情報を含む。また、設定の１つとして、蓄電池５と子機４との対応関係の設定や、親機３と子機４との対応関係の設定を含む、階層構成の設定が可能である。また、蓄電池５のグループや子機４のグループの設定が可能である。複数の蓄電池５や複数の子機４（蓄電池装置６）を、所望の適切な数や率でグルーピングする設定が可能である。例えば、子機グループ毎に測定周期や単位時間測定回数を設定可能である。例えば、ある子機グループ内の複数の子機４では同じ測定タイミングとし、異なる子機グループ間では異なる測定タイミングになるように設定可能である。
【００５１】
設定項目の１つとして、複数の子機４での測定周期がある。測定周期は、測定タイミングの時間間隔である。蓄電池５の測定項目（パラメータ）毎に測定周期等が設定可能である。測定周期の設定例としては、電圧及び温度の測定周期（詳しくは常時測定値に基づいて平均値等を計測し、子機４から親機３へ送信する際の周期）が５分であり、内部抵抗（インピーダンス）の測定周期が１日である。
【００５２】
設定項目の１つとして、単位時間測定回数Ｎがある。単位時間測定回数Ｎは、測定周期に応じた測定タイミング毎に、連続的に所定の時間間隔で複数回の測定を行う場合の、単位時間あたりの測定回数である。単位時間測定回数Ｎは、パラメータ毎に設定可能である。設定例としては、インピーダンスの単位時間測定回数Ｎが、１０回／５分である。単位時間測定回数Ｎの設定は、言い換えると、合計測定回数及び時間間隔の設定である。
【００５３】
インピーダンスの単位時間測定回数Ｎが１０回／５分である場合、時間間隔を３０秒として、３０秒毎に１回で、合計１０回の測定を連続的に行うことを示す。例えば、１日１回の測定周期で、測定タイミング（例えば０時）になった時点から、１０回／５分でインピーダンスが測定される。
【００５４】
実施の形態では、複数の蓄電池装置６において単位時間測定回数Ｎを異なる値に設定可能である。他の実施の形態では、複数の蓄電池装置６において測定周期を異なる値に設定可能である。他の実施の形態では、複数の蓄電池装置６において測定周期及び単位時間測定回数Ｎの両方を異なる値に設定してもよい。
【００５５】
設定項目の１つとして、親機３と子機４との間の測定データの取得周期がある。取得周期は、親機３等が子機４から測定データを取得、収集する時間間隔であり、親機３が測定データ要求信号を送信する際の取得タイミングの時間間隔である。取得周期の設定例としては、電圧及び温度の測定データの取得周期が５分であり、内部抵抗（インピーダンス）の測定データの取得周期が１日である。また、後述の変形例の方式では、設定項目の１つとして、子機４での送信周期がある。送信周期は、子機４から自動的に測定データ信号を親機３へ送信する際の送信タイミングの時間間隔である。
【００５６】
なお、測定周期と取得周期（または送信周期）とを同じ値に設定することも、異なる値に設定することも可能である。例えば、測定周期よりも取得周期が長い設定とした場合、ある取得タイミングでは、前回の取得タイミング以後に測定された測定データがまとめて取得される。
【００５７】
設定項目の１つとして、子機４での測定の際の測定周波数がある。後述の内部抵抗（インピーダンス）の測定周波数として３種類の周波数が設定可能である。また、設定項目の１つとして、親機３と子機４との無線通信の際の無線周波数がある。
【００５８】
他の設定項目として、子機４の動作モードを設けてもよい。これは、子機４において切り替え可能な複数の動作モードがある場合における動作モードの指定である。動作モードは、例えば通常モードや省電力モードがある。省電力モードは、非動作時には回路等の部分をスリープ状態に遷移させることで電力消費を抑制し、必要時に復帰して動作を行うように制御するモードである。通常モードは、そのようなスリープ状態の制御を行わないモードである。
【００５９】
図１の蓄電池状態監視システムで、設定動作例は以下である。ユーザは、ユーザ端末９からクラウドサーバ１にアクセスし、蓄電池状態監視システムの設定を行う（ステップＡ１）。例えば、クラウドサーバ１は、ユーザ設定機能のＷｅｂページ画面（設定画面）をユーザ端末９に提供する。ユーザは、その設定画面をみながらユーザ設定操作を行う。その設定画面では、例えば設定可能な設定項目毎に情報やボタン等が表示される。クラウドサーバ１に設定が行われた場合、設定情報がＤＢ１００に保持される。
【００６０】
クラウドサーバ１に対する設定に基づいて、顧客拠点の階層構成の各装置へ設定が反映される。その場合の通信概要は以下である。クラウドサーバ１は、設定情報を含む設定指示を、統括親機２へ送信する（ステップＡ２）。統括親機２は、その信号を受信し、自機にその設定情報を設定する。統括親機２は、顧客拠点内の設定情報を管理する。統括親機２は、複数の各親機３へ設定情報の設定指示の信号を送信する（ステップＡ３）。各親機３は、その信号を受信し、自機に設定情報（例えば取得周期）を設定する。親機３は、複数の各子機４へ設定情報の設定指示の信号を送信する。各子機４は、その信号を受信し、自機にその設定情報（例えば測定周期及び単位時間測定回数Ｎ）を設定する。
【００６１】
なお、実施の形態では、ユーザ端末９からクラウドサーバ１に対するユーザ設定が可能であるが、これに限らず、ユーザ端末９から統括親機２に対するユーザ設定を同様に可能としてもよい。統括親機２に設定が行われた場合、統括親機２から設定情報がクラウドサーバ１へ通知され、クラウドサーバ１がその設定情報をＤＢ１００に保持する。そして、同様に統括親機２から親機３及び子機４へ設定情報が反映される。
【００６２】
上記のように、蓄電池状態監視システムは、一元管理及び階層構成に対応した自動設定機能を有する。クラウドサーバ１から統括親機２、親機３及び子機４へと階層的に設定のための通信が自動的に行われることで、クラウドサーバ１の設定情報の内容が各装置の設定情報として反映される。ユーザとしては、クラウドサーバ１に対する設定作業を行えばよく、多数の個別の子機４等への設定作業を行う必要は無く、ユーザの手間が少ない。ユーザは、複数の子機４の測定タイミング等を、容易に設定可能である。ユーザは、個別の親機３や子機４毎の詳細設定も可能であり、設定変更も容易である。
【００６３】
［蓄電池状態監視システム（５）］
図１のように、実施の形態の蓄電池状態監視システムでは、装置及び通信の階層構成としてツリー構造を有する。１つの統括親機２に対し、複数（例えば２台）の親機３（３Ａ，３Ｂ）が接続され、１つの親機３に対し、複数（ｍ個）の子機４が接続されている。１つの子機４には１つ以上の蓄電池５が接続されている。
【００６４】
顧客拠点の機器やシステムの用途や規模に応じて、蓄電池システムの各装置（蓄電池５、子機４、親機３）の数や方式が決定される。例えば、監視対象の蓄電池５の種類及び数に応じて、一対一あるいはグループ等の単位で、対応する数の子機４が設置される。また、子機４の数に応じて、対応する数の親機３が用意される。親機３の数は、後述の分担または多重化等を考慮して、２台以上とされる。複数の親機３と複数の子機４とが、所定の方式で無線通信接続される。実施の形態では、後述の第１構成（図４）を採用し、複数の親機３で複数の子機４を分担する。また、後述の所定の方式（図７）で、複数の子機４（蓄電池装置６）における単位時間測定回数Ｎが制御される。
【００６５】
実施の形態の蓄電池状態監視システムでは、電源装置４０の多数の蓄電池５に対して、多数の子機４が容易に設置可能である。無線通信網８０であるため、有線ケーブルの配線等が不要であり、スペースやコストを節約できる。本システムは、有線を用いるシステムに比べて、子機４の設置の際の容易性や柔軟性が高く、結線間違い等のリスクや配線経年劣化等による不具合発生のリスクが低い。また、クラウドサーバ１で一元管理を行うため、ユーザによる設定作業が容易であり、複数の親機３や子機４への設定が容易である。
【００６６】
他の実施の形態として、階層構成に関して、顧客拠点の規模、蓄電池５の数や必要な監視精度等に応じて、更に階層数を増やしてもよい。例えば、親機３と子機４との間に中継装置を追加してもよい。また、親機３を１台のみとしてもよい。また、親機３と統括親機２とを１つの装置として併合し、階層数を減らした形態としてもよい。この場合、コストを低減できる。
【００６７】
［クラウドサーバ］
図２は、クラウドサーバ１、及び統括親機２を含む拠点制御装置２０の機能ブロック構成を示す。クラウドサーバ１は、監視制御部１０１、測定データ収集部１０２、監視処理部１０３、インタフェース部１０４を有する。ＤＢ１００には、設定情報１１１、測定データ履歴情報１１２、監視情報１１３等が格納される。クラウドサーバ１は、サーバ機器のＣＰＵ、ＲＯＭ、ＲＡＭ等のハードウェアに基づいてソフトウェアプログラム処理を行うことで、監視制御部１０１等の各部を実現する。
【００６８】
監視制御部１０１は、クラウドサーバ１の監視処理の全体を制御する。監視制御部１０１は、ユーザ端末９からの設定に基づいて設定情報１１１を格納する。監視制御部１０１は、設定や指示の信号を、顧客拠点の統括親機２へ送信する。監視制御部１０１は、任意時点でのユーザによる指示入力を受け付けて、統括親機２等の各装置を制御する。測定データ収集部１０２は、各顧客拠点の統括親機２から、蓄電池５の測定データを収集し、測定データ履歴情報１１２に格納する。監視処理部１０３は、測定データ履歴情報１１２の測定データに基づいて、各蓄電池５の状態の監視処理を行い、その結果である監視情報１１３を生成し、ＤＢ１００に格納する。
【００６９】
インタフェース部１０４は、広域通信網９０に対応する通信インタフェースを有し、統括親機２に対する通信処理を行う。インタフェース部１０４は、ユーザ端末９に対するユーザインタフェースを有する。インタフェース部１０４は、蓄電池状態監視システムの設定や指示のためのＧＵＩ画面（例えばＷｅｂページ画面）をユーザ端末９に提供する。インタフェース部１０４は、ユーザ端末９からのアクセスに対し、そのＷｅｂページを提供する。また、インタフェース部１０４は、監視情報やアラート情報を、ユーザ端末９へメール等で送信する。
【００７０】
設定情報１１１は、蓄電池状態監視システムの機能や動作に係わる各種の設定情報（例えばファイルやレジストリ）である。設定情報１１１は、ユーザ設定情報を含む。ユーザ設定として、クラウドサーバ１、統括親機２、親機３、及び子機４等の動作条件の設定が可能である。設定情報１１１は、パラメータ毎の測定周期や取得周期、単位時間測定回数Ｎ等を含む。
【００７１】
測定データ履歴情報１１２には、各顧客拠点で統括親機２及び親機３を通じて子機４から取得、収集された、各電源装置４０の各蓄電池５の測定データが記録されている。測定データ履歴情報１１２において、測定データ毎に、測定日時、顧客拠点情報、電源装置４０のＩＤ、蓄電池５のＩＤ、子機４のＩＤ、測定項目（パラメータ）、測定値、等の情報が記載される。また、ＤＢ１００には、統括親機２を通じて制御電源装置６０から取得された充放電情報が、測定データ履歴情報１１２の測定データと関係付けて記録される。
【００７２】
監視情報１１３は、監視処理部１０３による監視処理結果情報として、蓄電池５の状態を表す情報であり、ユーザに対して出力するための情報を含む。監視情報１１３において、蓄電池５毎に、充電状態（ＳＯＣ）、稼働時間、劣化度合い、寿命時期、使用可能時間、交換時期、正常／異常等の状態、等の情報が記載されている。
【００７３】
［統括親機］
図２で、統括親機２は、統括制御部２０１、測定データ取得部２０２、通信インタフェース部２０３、通信インタフェース部２０４、記憶部２１０を有する。記憶部２１０には、設定情報２１１（スケジュール情報を含む）、測定データ２１２、充放電情報２１３等が記憶される。統括親機２は、サーバ機器のＣＰＵ等に基づいてソフトウェアプログラム処理を行うことで、統括制御部２０１等の各部を実現する。
【００７４】
統括制御部２０１は、統括親機２の全体の処理を制御する。統括制御部２０１は、クラウドサーバ１からの設定に基づいて、設定情報２１１を記憶部２１０に格納する。統括制御部２０１は、測定データの取得、収集に係わるスケジュール情報を作成し、設定情報２１１の一部として格納する。
【００７５】
測定データ取得部２０２は、複数の親機３から測定データを取得し、測定データ２１２として記憶部２１０に格納する。測定データ取得部２０２は、測定データ２１２をクラウドサーバ１に送信する。また、測定データ取得部２０２は、制御電源装置６０から取得した充放電情報２１３を記憶部２１０に格納する。
【００７６】
通信インタフェース部２０３は、ゲートウェイサーバ２１と通信し、ゲートウェイサーバ２１を介してクラウドサーバ１と通信処理を行う。通信インタフェース部２０４は、通信網７０を通じて複数の各親機３と通信処理を行う。また、通信インタフェース部２０４は、通信網７０を通じて制御電源装置６０と通信処理を行う。
【００７７】
設定情報２１１は、統括親機２自体の動作条件の設定情報や、顧客拠点毎に設定されるスケジュール情報を含む。スケジュール情報は、後述するが、複数の親機３が複数の子機４との間でどのような取得タイミングで測定データを取得するかに係わる。測定データ２１２は、顧客拠点の複数の親機３から取得された測定データである。充放電情報２１３は、制御電源装置６０から得られる前述の充電や放電の有無やタイミング、電流値等を含む情報である。
【００７８】
［親機］
図３は、親機３及び子機４を含む機能ブロック構成を示す。図３で、親機３は、中継制御部３０１、測定データ取得部３０２、通信インタフェース部３０３、無線通信インタフェース部３０４、記憶部３１０を有する。記憶部３１０には、設定情報３１１、測定データ３１２等が記憶される。親機３は、ＣＰＵ等に基づいてソフトウェアプログラム処理を行うことで、中継制御部３０１等の各部を実現する。なお、親機３や子機４の各部は、専用のＬＳＩやＦＰＧＡ等の回路で実現されてもよい。
【００７９】
中継制御部３０１は、親機３の全体の処理を制御する。中継制御部３０１は、統括親機２からの設定指示の信号に従って、設定情報３１１を記憶部３１０に格納する。測定データ取得部３０２は、設定及びスケジュールに従って、複数の子機４から測定データを取得し、測定データ３１２として記憶部３１０に格納する。測定データ取得部３０２は、測定データ３１２を統括親機２へ送信する。
【００８０】
通信インタフェース部３０３は、通信網７０に対する通信インタフェース（有線ＬＡＮインタフェース）を有し、統括親機２との通信処理を行う。無線通信インタフェース部３０４は、無線通信網８０に対する無線通信インタフェースを有し、子機４との無線通信処理を行う。無線通信インタフェース部３０４は、無線電波送信のためのアンテナや回路を含む。無線通信インタフェース部３０４は、設定された無線周波数のチャネルで、子機４との無線通信を行う。
【００８１】
設定情報３１１は、親機３自体の動作条件の設定情報（例えば取得周期）や、統括親機２から設定されるスケジュール情報を含む。測定データ３１２は、関係付けられる複数の子機４から取得された測定データである。
【００８２】
［子機］
図３で、子機４は、測定制御部４０１、測定データ提供部４０２、無線通信インタフェース部４０３、記憶部４１０、温度測定部４２１、電圧測定部４２２、内部抵抗測定部４２３、正弦波発生部４２４等を有する。記憶部４１０には、設定情報４１１、測定データ４１２等が記憶される。子機４は、ＣＰＵ等に基づいてソフトウェアプログラム処理を行うことで、測定制御部４０１等の各部を実現する。
【００８３】
記憶部４１０は、例えば内部メモリ及び外部メモリを有する。内部メモリ及び外部メモリは、例えば不揮発性半導体記憶装置等から成る。子機４は、測定データ等を、内部メモリだけでなく、外部メモリ（例えばメモリカード）にコピーや移動で格納してもよい。その場合、ユーザは、必要時に外部メモリから測定データ等を読み出して取得可能である。
【００８４】
設定情報４１１は、子機４自体の動作条件の設定情報（例えば測定周期及び単位時間測定回数Ｎ）を含む。測定データ４１２は、各測定部によって測定された、蓄電池５の所定のパラメータの測定値を含むデータである。
【００８５】
測定制御部４０１は、子機４での所定のパラメータの測定を制御する。測定制御部４０１は、子機４の設定情報４１１に基づいて、温度測定部４２１等の各測定部を制御して、測定周期の測定タイミングで、蓄電池５のパラメータの測定を行わせる。例えば、測定制御部４０１は、測定項目毎の測定周期の測定タイミングで、対応する測定部に測定指示を与える。その際、測定制御部４０１は、単位時間測定回数Ｎが適用される場合には、単位時間測定回数Ｎで示す時間間隔及び合計測定回数で、連続的に複数回の測定指示を測定部に与える。測定部は、その測定指示に従って、測定を行い、測定値を出力する。測定制御部４０１は、その測定値等を測定データ４１２に記載する。
【００８６】
測定データ提供部４０２は、記憶部４１０に対する測定データ４１２の記憶（書き込みや読み出し）を管理し、親機３からの要求に応じて測定データ４１２を親機３へ送信するための処理を行う。測定データ提供部４０２は、各測定日時での各パラメータの測定値を、測定データ４１２として、記憶部４１０のメモリ領域に逐次に格納する。このメモリ領域は、所定のサイズを有し、例えば循環的に利用され、古い測定データから順に上書きで消去される。
【００８７】
無線通信インタフェース部４０３は、無線通信網８０に対する無線通信インタフェースを有し、親機３との無線通信処理を行う。無線通信インタフェース部４０３は、無線電波送信のためのアンテナや回路を含む。無線通信インタフェース部４０３は、設定された無線周波数のチャネルで、親機３との無線通信を行う。無線通信インタフェース部４０３は、親機３からの各種の信号を受信し、測定データ提供部４０２に渡す。無線通信インタフェース部４０３は、測定データ提供部４０２からの各種の信号を親機３へ送信する。
【００８８】
温度測定部４２１は、温度センサ４２５を用いて、蓄電池５の温度（温度値：Ｔ）を測定する。温度測定部４２１から配線されている温度センサ４２５は、例えば蓄電池５の蓋部（蓄電池５内の電極近く等でもよい）に設置されている。例えば、温度測定部４２１は、測定周期（例えば５分）の測定タイミングで、蓄電池５の温度を測定する。なお、各測定の際には所定の計算を含む場合がある。
【００８９】
電圧測定部４２２は、正負の配線の端子が、蓄電池５の正負の電極の端子に接続されている。電圧測定部４２２は、蓄電池５の正負の端子間の電圧（電圧値：Ｖ）を測定する。
【００９０】
内部抵抗測定部４２３は、正負の配線の端子が、蓄電池５の正負の電極の端子に接続されている。内部抵抗測定部４２３は、蓄電池５の正負の端子間の内部抵抗（特に交流抵抗成分であるインピーダンス。インピーダンス値：Ｚ）を測定する。内部抵抗測定部４２３は、単位時間測定回数Ｎの設定に従って、連続的に複数回、インピーダンスを測定する。
【００９１】
正弦波発生部４２４は、正負の配線の端子が、蓄電池５の正負の電極の端子に接続されている。正弦波発生部４２４は、内部抵抗測定部４２３の内部抵抗の測定の際に、測定周波数に対応する正弦波を発生して、その正弦波に対応する電流を蓄電池５に通電する。正弦波発生部４２４は、測定周波数として、複数種類の周波数の正弦波を発生させる機能を有する。実施の形態では、特に後述の３種類の周波数を用いる。正弦波発生部４２４は、測定制御部４０１からの制御に従って、指定の測定周波数の正弦波を発生する。その周波数に対応する交流電流（例えば３アンペア以下）が蓄電池５の端子間に流される。内部抵抗測定部４２３は、この際の蓄電池５の交流電流値と、電圧測定部４２２による測定電圧値とを用いて、測定周波数毎のインピーダンス値を計算する。
【００９２】
［省電力モード］
実施の形態の蓄電池状態監視システムでは、各子機４は、基本的に省電力モードで動作する。子機４は、省電力モード動作時、設定、測定、測定データ送信等の処理や動作が無い時には、処理や動作に必要な回路等の部分がスリープ状態となる。そのスリープ状態では電力消費が抑制される。子機４は、処理や動作が必要な時には、回路等の部分が、スリープ状態から通常状態に復帰して、その処理や動作を行う。
【００９３】
子機４は、例えば、測定タイミングでの測定時には、スリープ状態から復帰して測定を行い、その後にスリープ状態に戻る。また、子機４は、測定データ信号７０２を送信する場合には、スリープ状態から復帰して測定データ信号７０２の送信処理を行い、その後にスリープ状態に戻る。
【００９４】
なお、実施の形態では、子機４が動作するための電力としては、その子機４に接続されている蓄電池５の電力を使用する。そのため、子機４では、動作モードとして、省電力モードを備え、その省電力モードを使用する設定とする。もしくは、子機４として、動作モードの切り替えが無い装置を用いる場合には、その子機４は、省電力モードに相当する動作をし続ける装置とする。なお、他の実施の形態としては、子機４は、蓄電池５の電力を使用せず、子機４に備える電源部の電力を使用してもよい。
【００９５】
［無線通信−第１構成］
図４は、実施の形態における親機３と子機４との無線通信に関する構成（第１構成とする）を示す。この第１構成では、複数の親機３で複数の子機４を分担し、通信負荷分散を行う。親機３Ａと親機３Ｂとでそれぞれ異なる複数の子機４が分担として関係付けられる。なお、説明上、親機３のＩＤをＰ１，Ｐ２で示す。子機４のＩＤをＣ１〜Ｃｍ等で示す。蓄電池５のＩＤをＢ１〜Ｂｍ等で示す。第１構成の分担の関係は、予めクラウドサーバ１に、ＩＤ及びＭＡＣアドレス等を用いて設定されている。
【００９６】
図４の例では、一方の親機３Ａは、複数（例えばｍ個）の子機４｛Ｃ１〜Ｃｍ｝を担当し、それぞれと無線通信を行う。他方の親機３Ｂは、別の複数（例えば同じくｍ個）の子機４｛Ｃ２１〜Ｃ２ｍ｝を担当し、それぞれと無線通信を行う。各子機４は、一対一で蓄電池５に設置され、蓄電池装置６として構成されている。各子機４（蓄電池装置６）は、対応する蓄電池５のパラメータを測定する。例えば、子機Ｃ１は、蓄電池Ｂ１の測定データＸ１を記憶する。例えば、複数の蓄電池Ｂ１〜Ｂｍが直列接続されている。制御電源装置６０からの制御に基づいて、蓄電池群５０の充電の際には、直列接続されている複数の蓄電池Ｂ１〜Ｂｍの単位で充電される。
【００９７】
親機３と子機４との無線通信リンクにおけるチャネル（Ｈとする）及び周波数（Ｆとする）を示す。例えば、親機３Ａ（Ｐ１）と子機Ｃ１とのチャネルＨ１では周波数Ｆ１を使用し、親機３Ａ（Ｐ１）と子機Ｃ２とのチャネルＨ２では周波数Ｆ２を使用する。親機Ｐ１と複数の子機Ｃ１〜Ｃｍとの各チャネルＨ１〜Ｈｍの周波数Ｆ１〜Ｆｍを同じ周波数にしてもよいし、異ならせてもよい。親機Ｐ１と親機Ｐ２とでは異なる周波数を使用するようにしてもよい。
【００９８】
無線通信網８０の通信負荷分散を優先する場合には、第１構成を採用する。第１構成では、親機３の数を増やすほど、１つの親機３が分担する子機４の数が少なくなる。即ち、１つの親機４が行う無線通信の数が少なくなり、通信負荷が減る。
【００９９】
［無線通信−第２構成］
図５は、実施の形態の変形例として、無線通信網８０の親機３と子機４との無線通信に関する構成（第２構成とする）を示す。この第２構成は、複数の親機３で複数の子機４を重複するように担当して、多重化、特に二重化を行う。この第２構成では、二重化によって、第１構成よりも全体の通信量が増えるが、測定データ取得等の確実性をより高くする。測定データ取得等の確実性、監視精度を高めることを重視する場合には、第２構成を採用する。
【０１００】
親機３Ａと親機３Ｂは、通信網７０または無線通信網８０を通じて、適宜、相互通信を行う。相互通信は、例えば、親機３Ａで取得した測定データと、親機３Ｂで取得した測定データとの同期等のために行われる。この二重化構成では、ある子機４の測定データについては、２台の親機３Ａ，３Ｂとの無線通信でそれぞれ取得が行われるが、その際に一方の親機３で取得できない場合でも、他方の親機３で取得できればよい。
【０１０１】
親機３Ａと親機３Ｂとの間で相互通信し、正しく測定データを少なくとも一方の親機３で取得できたかどうかの確認を行う。また、親機３Ａと親機３Ｂとの間で、相互通信に基づいて、データ同期、即ち両方の親機３で同一の測定データを保持することを行う。例えば、子機Ｃ１の測定データＸ１について、親機３Ａが取得できず、親機３Ｂが取得できた場合、親機３Ａと親機３Ｂとの相互通信でそのことを確認した後、親機３Ｂからその測定データ（コピー）を親機３Ａへ送信する。これにより、２台の親機３Ａ，３Ｂは、同じ測定データを保持する。その後、親機３Ａ，３Ｂは、統括親機２へその測定データを送信する。その際、統括親機２は、親機３Ａ，３Ｂの少なくとも一方から測定データを取得できればよい。なお、変形例として、親機３間の相互通信を省略し、親機３Ａ，３Ｂの一方で測定データを保持してもよい。統括親機２及びクラウドサーバ１がいずれかの親機３を通じて測定データを取得できればよい。
【０１０２】
［比較例］
図６は、実施の形態に対する比較例の蓄電池状態監視システムにおける、無線通信網での親機と複数の子機との無線通信等の概要を示す。本例では、１台の親機Ｐ１と複数（ｍ個）の子機Ｃ１〜Ｃｍとの無線通信を示す。各子機は、蓄電池に設置された測定通信装置である。この無線通信網は、近距離／短距離の無線通信網である。親機Ｐ１に対し、所定の半径距離の範囲内に、複数の子機Ｃ１〜Ｃｍが配置されている。蓄電池の数と子機の数とが同じ場合である。
【０１０３】
比較例の蓄電池状態監視システムでは、ユーザからの手動での測定指示の入力に基づいて、個別の子機及び蓄電池毎に、測定が可能である。例えば、ユーザは、親機Ｐ１に対する上位装置６００に、例えば子機Ｃ１を対象とする測定指示を入力する。上位装置６００は、親機Ｐ１へ測定指示を送信する。親機Ｐ１は、測定指示に従い、対象の子機Ｃ１へ測定指示信号６０１を送信する。対象の子機Ｃ１は、測定指示信号６０１を受信し、蓄電池Ｂ１の指定のパラメータを測定し、測定データＸ１を得る。子機Ｃ１は、測定データＸ１を含む測定データ信号６０２を、親機Ｐ１へ送信する。親機Ｐ１は、測定データ信号６０２を受信して測定データＸ１を取得し、測定データＸ１を上位装置６００へ送信する。
【０１０４】
また、ユーザは、個別の子機に、手動で測定指示を入力してもよい。その場合、例えば子機Ｃ１は、その測定指示に従って、指定のパラメータを測定し、測定データＸ１を得る。子機Ｃ１は、測定データＸ１を含む測定データ信号６０２を、親機Ｐ１へ送信する。
【０１０５】
前述のように、従来、顧客拠点の蓄電池システムにおいて、電源装置の蓄電池群について、任意時点でユーザが自己点検として所望の蓄電池のパラメータを測定し、状態を調べる場合がある。その際、上記のように、ユーザは、上位装置６００あるいは個別の子機に対する測定指示によって、測定を行わせることができる。しかしながら、複数の蓄電池の測定や複数回の測定の場合には、ユーザの作業の手間がかかる。また、それだけでなく、各蓄電池の個体差があることや、複数の各々の蓄電池に対する測定の総数や頻度等に差異が生じることで、複数の各々の蓄電池の電圧や内部抵抗等の状態に差異が生じる。蓄電池の内部抵抗等のパラメータの測定の際には、通電するので、相応の放電が生じる。その放電の分、蓄電池の電圧や内部抵抗が低下し、充電量が低下する。
【０１０６】
制御電源装置の制御に基づいて、電源装置の直列接続されている複数の蓄電池を充電する際に、個々の蓄電池の内部抵抗等の状態が異なる場合には、均一な充電ができない。なお、複数の個々の蓄電池に、蓄電池の状態を均一に制御するための専用の蓄電池制御装置（セルコントローラ）を設ける場合、システムのコストが高い。上記のように、比較例の蓄電池状態監視システムでは、蓄電池群５０の充電、及び蓄電池５の寿命に関して、改善余地がある。
【０１０７】
実施の形態の蓄電池状態監視システムでは、電源装置４０の直列接続された複数の蓄電池５の状態をなるべく均一にするように、蓄電池５の測定回数等を制御する機能を有する。これにより、蓄電池群５０の均一な充電によって、蓄電池５の長寿命化を図る。
【０１０８】
［無線通信及び測定制御］
図７は、図６の比較例に対し、実施の形態の蓄電池状態監視システムにおける無線通信網８０での親機３と複数の子機４との無線通信、及び測定制御の概要を示す。図７では、一方の親機３Ａ（Ｐ１）とそれに接続される複数（ｍ個）の子機４（蓄電池装置６）の部分について示すが、他方の親機３Ｂ（Ｐ２）についても同様である。実施の形態では、無線通信網８０（ＷＰＡＮ）の通信規格として、ＩＥＥＥ８０２．１５．４に準拠し、２．４ＧＨｚの無線周波数帯域の周波数を用いる。無線通信網８０では、この帯域の使用可能な１２個の無線周波数チャネル（ｃｈ１〜ｃｈ１２）のうちから選択したチャネルを使用する。親機３と子機４は、そのチャネルの周波数を用いて、ビーコン信号を授受することで、設定や測定データ取得等のための無線通信を行う。
【０１０９】
実施の形態の蓄電池状態監視システムでは、蓄電池装置６の測定を制御して蓄電池群５０の状態をバランスさせる機能を有する。この機能は、上位装置（クラウドサーバ１及び統括親機２）から、親機３を通じて、複数の子機４（蓄電池装置６）における測定の単位時間測定回数Ｎを変化させる機能である。この機能は、複数の各々の子機４（蓄電池装置６）における単位時間測定回数Ｎを変化させるように制御することで、複数の蓄電池５の状態をなるべく均一になるように平準化、調整する機能である。この機能では、複数の各々の子機４（蓄電池装置６）の単位時間測定回数Ｎを異ならせるように設定可能である。単位時間測定回数Ｎは、単位時間あたりの測定回数であり、時間間隔及び合計測定回数の情報を含む。
【０１１０】
クラウドサーバ１は、監視処理によって、電源装置４０の各蓄電池５の電圧や内部抵抗等の状態を把握する。クラウドサーバ１は、蓄電池５の状態に応じて、蓄電池群５０の状態をなるべく均一にさせるように、蓄電池装置６毎の単位時間測定回数Ｎの設定を制御する。クラウドサーバ１は、例えば、複数の蓄電池装置６のうち、相対的に電圧や内部抵抗が高い状態の蓄電池５を持つ蓄電池装置６を対象として、他の蓄電池装置６よりも相対的に単位時間測定回数Ｎを多くするように制御する。クラウドサーバ１は、その設定のための設定信号を統括親機２へ送信する。この設定信号は、対象の子機４、及び単位時間測定回数Ｎの指定を含む。統括親機２は、それに対応する設定信号７００を親機３へ送信する。親機３は、その設定信号７００に従い、単位時間測定回数Ｎの指示を含む設定信号７０１を、対象の子機４へ送信する。子機Ｃ１〜Ｃｍ毎の設定信号７０１を、設定信号Ｅ１〜Ｅｍで示す。対象の子機４は、設定信号７０１を受信すると、自機に、指定された単位時間測定回数Ｎを設定する。言い換えると、子機４は、自機の設定情報４１１を更新する。複数（ｍ）の各々の蓄電池装置６における測定周期Ｊ及び単位時間測定回数Ｎを、測定周期Ｊ１〜Ｊｍ及び単位時間測定回数Ｎ１〜Ｎｍで示す。
【０１１１】
その後、その蓄電池装置６の子機４は、測定周期やスケジュールに応じた測定タイミング毎に、蓄電池５の指定のパラメータ（温度、電圧、インピーダンス）を測定し、測定データを蓄積する。その際、子機４は、単位時間測定回数Ｎ（時間間隔及び合計測定回数）に従って、連続的に複数回の測定を行い、対応する測定データを記憶する。実施の形態では、パラメータとしてインピーダンスの単位時間測定回数Ｎの設定を含む。例えば、子機Ｃ１の測定データＸ１は、温度値Ｔや電圧値Ｖの他に、インピーダンス値Ｚ１を含み、このインピーダンス値Ｚ１は、測定タイミング毎の連続的な複数回の測定値を含む。
【０１１２】
その後、子機４は、例えば、親機３から所定の取得タイミングで送信された測定データ要求信号を受信した場合、保持しておいた測定データを含む測定データ信号７０２を、応答信号として親機３へ送信する（親機取得方式）。あるいは、他の方式では、子機４は、設定された送信周期やスケジュールに基づいた所定の送信タイミング毎に、保持しておいた測定データを含む測定データ信号７０２を自動的に親機３へ送信する（子機自動送信方式）。複数の子機Ｃ１〜Ｃｍの測定データ信号７０２を、測定データ信号Ｒ１〜Ｒｍで示す。例えば、子機Ｃ１は、測定データＸ１を含む測定データ信号Ｒ１を親機３へ送信する。親機３は、複数の各子機４から同様に測定データを取得する。親機３は、複数の各子機４から取得した複数の測定データを、統括親機２へ送信する。統括親機２は、それらの複数の測定データを、クラウドサーバ１へ送信する。クラウドサーバ１は、それらの複数の測定データを用いて、電源装置４０の各蓄電池５の状態の推定等の監視処理を行う。
【０１１３】
上記のように、実施の形態の方式では、複数の子機４（蓄電池装置６）における単位時間測定回数Ｎを変化させ、対象の蓄電池装置６で集中的に複数回測定させ、複数回の放電を生じさせる。これにより、直列接続されている複数の蓄電池５の電圧や内部抵抗等の状態をなるべく均一になるように調整する。これにより、制御電源装置６０の充電制御、及び電力系統からの電力に基づいて、電源装置４０の直列接続されている複数の蓄電池５を充電する際に、均一な充電ができる。これにより、蓄電池群５０の長寿命化を図れる。なお、本方式では、一時的に、特定の蓄電池装置６では、単位時間測定回数Ｎが、他の蓄電池装置６よりも多い値に設定される。その時の特定の蓄電池装置６では、連続的に複数回の測定が行われるので、状態の詳細測定が可能である。
【０１１４】
実施の形態では、複数の蓄電池装置６において、少なくとも、単位時間測定回数Ｎを変化させる及び異ならせるように制御する。同様に、他の実施の形態では、複数の蓄電池装置６において、測定周期Ｊを変化させる及び異ならせるように制御してもよいし、測定周期Ｊ及び単位時間測定回数Ｎの両方を変化させる及び異ならせるように制御してもよい。測定周期を変化させる場合、例えば、特定の蓄電池装置６を対象として他の蓄電池装置６よりも測定周期が相対的に短い値に設定される。
【０１１５】
実施の形態では、上記のように、上位装置から子機４の設定を制御することで状態を調整する機能を有するが、他の機能として以下も有する。この機能として、上位装置からの制御に基づいて、親機３から子機４へ個別の測定指示信号を送信する際に、単位時間測定回数Ｎ等を指定可能である。クラウドサーバ１は、蓄電池群５０の状態の調整を行う際に、対象の子機４及び単位時間測定回数Ｎの指定を含む測定指示信号を統括親機２へ送信する。統括親機２は、対応する測定指示信号を親機３へ送信する。親機３は、対応する測定指示信号を対象の子機４へ送信する。対象の子機４は、その測定指示信号に従い、指定の単位時間測定回数Ｎで連続的に複数回の測定を行い、測定データを含む測定データ信号７０２を親機３へ送信する。測定指示信号毎に、適用する単位時間測定回数Ｎを指定可能である。
【０１１６】
なお、上記では、複数の蓄電池装置６のうち、特定の蓄電池装置６の単位時間測定回数Ｎを一時的に他の蓄電池装置６よりも相対的に多くするように制御したが、これに限らず可能である。例えば、予め、複数の各蓄電池装置６には、所定の単位時間測定回数Ｎが設定されている。クラウドサーバ１は、ユーザの手動による測定の回数が多い蓄電池装置６を把握し、その特定の蓄電池装置６を対象として、単位時間測定回数Ｎを、他の蓄電池装置６よりも相対的に少なくするように制御する。
【０１１７】
なお、子機４毎の無線通信のチャネルの周波数は、同じとしてもよいし、異ならせてもよい。親機３と各子機４との無線通信のタイミングは、同じとしてもよいし、異ならせてもよい。
【０１１８】
実施の形態の蓄電池状態監視システムは、図７のような機能を用いるように予め設定されている。この設定は、事業者によるシステム設計事項としての固定の設定としてもよいし、ユーザ設定機能を用いてユーザ設定を可能としてもよい。例えば、クラウドサーバ１が管理者等のユーザに対して提供する設定画面で、上記機能の使用有無等を設定可能とする。また、設定画面では、測定周期Ｊや単位時間測定回数Ｎの標準設定値や、それらを一時的に変化させる場合の設定値（例えば１０回／５分）等を設定可能とする。
【０１１９】
［全体動作概要］
図１や図７を用いて、実施の形態の蓄電池状態監視システムで、単位時間測定回数Ｎの制御を含む、全体的な動作等の概要は以下である。
【０１２０】
（１）  予め、蓄電池状態監視システムの設定が行われる。クラウドサーバ１に対するユーザ設定によって、各種の設定が可能である。この設定は、複数の蓄電池装置６の子機４毎に、及びパラメータ毎に、測定周期Ｊ及び単位時間測定回数Ｎの設定を含む。前述のように、上位装置からの設定信号に基づいて、親機３から子機４へ設定信号７０１が送信される。子機４は、その設定信号７０１に従って、自機の測定周期Ｊ及び単位時間測定回数Ｎを設定する。また、設定は、親機３毎の取得周期、あるいは子機４毎の送信周期の設定がある。
【０１２１】
また、統括親機２は、顧客拠点の蓄電池システムにおける電源装置４０の複数の蓄電池装置６から測定データを収集するためのスケジュールを設定する機能を有する。このスケジュールは、各親機３が各子機４から測定データを取得する日時や順序等の設定を含む。このスケジュールは、統括親機２と複数の親機３との通信のスケジュールも含む。また、このスケジュールの設定と共に、無線通信網８０の複数の親機３と複数の子機４との間の無線通信チャネルで使用する無線周波数について設定してもよい。
【０１２２】
例えば、最初、複数の蓄電池装置６の子機４には、インピーダンスについて、同じ測定周期Ｊ（例えば１日）及び単位時間測定回数Ｎ（例えば１回のみ）が設定されている。
【０１２３】
（２）  複数の各々の蓄電池装置６の子機４は、測定周期Ｊやスケジュールに基づいた測定タイミングで、パラメータ毎に、単位時間測定回数Ｎの設定に従って、蓄電池５のパラメータを測定し、測定データを記憶する。
【０１２４】
（３）  各親機３は、設定された取得周期やスケジュールに従って、分担する複数の各子機４との間で、所定の方式の無線通信を行うことで、各子機４から測定データを取得する。親機取得方式の場合、親機３は、取得タイミングの日時に、取得対象の子機４へ測定データ要求信号を送信する（ステップＡ４）。
【０１２５】
（４）  子機４は、親機３からの測定データ要求信号を受信したタイミングで、自機の測定データを含む測定データ信号７０２を送信する（ステップＡ５）。あるいは、子機自動送信方式の場合、子機４は、自機に設定された送信タイミングで、測定データを含む測定データ信号７０２を、親機３へ送信する。親機３は、子機４から測定データ信号７０２を受信し、測定データを取得する。
【０１２６】
（５）  親機３は、各子機４からの測定データ信号７０２に基づいて取得した測定データを、統括親機２へ送信する（ステップＡ６）。統括親機２は、各親機３から取得した測定データを、ゲートウェイサーバ２１を通じて、クラウドサーバ１へ送信する（ステップＡ７）。クラウドサーバ１は、統括親機２から取得した測定データを、ＤＢ１００の測定データ履歴情報１１２に格納する（ステップＡ８）。
【０１２７】
（６）  クラウドサーバ１の監視処理部１０３は、ＤＢ１００に収集した測定データを用いて、監視処理を行って、電源装置４０の各蓄電池５の温度、電圧、インピーダンス等を把握し、正常／異常等の状態を判定し、充電状態（ＳＯＣ）や寿命等を推定する。クラウドサーバ１は、監視処理結果の監視情報をＤＢ１００に格納し、ユーザに対して出力する。
【０１２８】
（７）  クラウドサーバ１の監視制御部１０１は、監視処理結果に基づいて、電源装置４０の蓄電池群５０の各蓄電池５の電圧や内部抵抗の状態について、ある程度以上の大きさで差異があるかどうか、即ちばらつきや不均一があるかどうかを判断する。この際、クラウドサーバ１は、例えば、複数の蓄電池装置６の蓄電池５のうち、電圧や内部抵抗（インピーダンス）の値が、他の蓄電池装置６の蓄電池５の値に比べて、閾値以上の大きさで差異があるものを判断する。この閾値は、予め設定可能である。クラウドサーバ１は、蓄電池５の状態に不均一があると判断した場合、差異がある蓄電池装置６の蓄電池５について、単位時間測定回数Ｎを変化させる制御を行う。クラウドサーバ１は、差異がある特定の蓄電池装置６を、単位時間測定回数Ｎを一時的に多くする対象として決定する。また、クラウドサーバ１は、その特定の蓄電池装置６の単位時間測定回数Ｎを変化させる値（変化後の設定値）を決定する。例えば、クラウドサーバ１は、対象の蓄電池装置６の単位時間測定回数Ｎについて、標準設定値から、所定値を増減して、変化後の設定値を決定してもよい。あるいは、クラウドサーバ１は、予め設定された複数種類の単位時間測定回数Ｎから選択して、変化後の設定値を決定してもよい。なお、クラウドサーバ１は、複数の蓄電池装置６を対象として選択してもよいし、複数の各々の蓄電池装置６毎に単位時間測定回数Ｎを異ならせるようにしてもよい。
【０１２９】
（８）  クラウドサーバ１は、特定の対象の蓄電池装置６の単位時間測定回数Ｎに関する設定情報を、ＤＢ１００に格納する。クラウドサーバ１は、特定の対象の蓄電池装置６のＩＤの指定と、パラメータ（インピーダンス）の指定と、単位時間測定回数Ｎの指定とを含む設定信号を、統括親機２へ送信する。統括親機２は、その設定信号に対応する設定信号を、対象の蓄電池装置６に関係付けられる親機３へ送信する。親機３は、その設定信号に対応する設定信号７０１を、対象の蓄電池装置６の子機４へ送信する。なお、この際、親機３から複数の子機４へ同様の設定信号７０１を送信してもよい。
【０１３０】
（９）  対象の蓄電池装置６の子機４は、親機３からの設定信号７０１を受信する。子機４は、その設定信号７０１の内容を確認し、自機に対する単位時間測定回数Ｎの変更が指定されている場合、その単位時間測定回数Ｎを設定する。即ち、子機４は、自機の設定情報４１１を更新する。
【０１３１】
（１０）  子機４は、測定周期Ｊやスケジュールに基づいた測定タイミングになった時には、その時点で自機に設定されている単位時間測定回数Ｎ（時間間隔及び合計測定回数）に従って、連続的に複数回、インピーダンスを測定し、それらの測定値を含む測定データを記憶する。これにより、その蓄電池５では、複数回の放電が生じ、その分、電圧や内部抵抗が低下する。これにより、その蓄電池５の状態が他の蓄電池５の状態に近付けられる。
【０１３２】
（１１）  その後、子機４は、親機３からの測定データ要求信号を受信したタイミングで、あるいは自機の送信タイミングで、測定データを含む測定データ信号７０２を、親機３へ送信する。親機３は、その測定データを、統括親機２へ送信する。統括親機２は、その測定データを、クラウドサーバ１へ送信する。
【０１３３】
（１２）  その後、クラウドサーバ１は、複数の蓄電池装置６の蓄電池５の状態の判断に基づいて、同様に、複数の各々の蓄電池装置６の単位時間測定回数Ｎの設定を更新する。例えば、クラウドサーバ１は、上記特定の蓄電池装置６の単位時間測定回数Ｎの設定値を、一時的な多い値から、元の値に戻すように変化させる。この制御は、上記と同様に、クラウドサーバ１から統括親機２及び親機３を通じて子機４へ設定信号を与えることで実現できる。
【０１３４】
なお、このような制御に限らず、最初に設定信号７０１を子機４に与える際に、単位時間測定回数Ｎを適用する期限や測定タイミング等を指定するようにしてもよい。
【０１３５】
［測定周期、単位時間測定回数］
図８は、測定周期Ｊ、及び単位時間測定回数Ｎの例を示す。本例では、測定対象を、子機Ｃ１の蓄電池Ｂ１とし、インピーダンス値Ｚを測定する場合を示す。図８では、縦方向に時間軸として測定時間を示す。設定例として、複数（ｍ）の蓄電池装置６において、インピーダンスの測定周期Ｊは、同じ標準設定値として１日である。例えば、測定日時の標準設定値として０時とされる。また、複数（ｍ）の蓄電池装置６において、インピーダンスの単位時間測定回数Ｎは、最初、同じ標準設定値として、例えば１回とされる。また、調整する対象の子機４として子機Ｃ１が選択された場合で、変化後（更新後）のインピーダンスの単位時間測定回数Ｎ１が、例えば１０回／５分（時間間隔＝３０秒、合計測定回数＝１０回）であるとする。
【０１３６】
まず、日時ＤＴ１に対応する時点ｔ１は、測定周期Ｊ１に基づいた最初の測定日時（測定タイミング）を示す。時点ｔ１から１０回／５分で測定が行われる。まず、時点ｔ１（例えば４月１日０時）では、１回目（＃１で示す）の測定が行われ、測定値Ｚｔ１が得られる。次に、時点ｔ２（例えば０時０分３０秒）は、時点ｔ１から３０秒後である。時点ｔ２では、２回目（＃２）の測定が行われ、測定値Ｚｔ２が得られる。同様に、時点ｔ３，……，ｔ１０で、それぞれ測定が行われる。時点ｔ１０（例えば０時５分０秒）では、１０回目（＃１０）の測定が行われ、測定値Ｚｔ１０が得られる。子機Ｃ１は、測定値Ｚｔ１〜Ｚｔ１０を、日時ＤＴ１（時点ｔ１〜ｔ１０）での測定データＸ１｛Ｚｔ１，……，Ｚｔ１０｝として記憶する。
【０１３７】
日時ＤＴ２は、日時ＤＴ１から測定周期Ｊ１＝１日が経過した時点ｔ１１（例えば４月２日０時）である。時点ｔ１１から、同様に、単位時間測定回数Ｎ１で連続的に複数回（＃１〜＃１０）の測定が行われる。各時点における測定値Ｚｔ１１〜Ｚｔ２０を示す。子機Ｃ１は、測定値Ｚｔ１１〜Ｚｔ２０を、日時ＤＴ２での測定データＸ１｛Ｚｔ１１，……，Ｚｔ２０｝として記憶する。以降も同様である。
【０１３８】
なお、複数の蓄電池装置６における複数の蓄電池５のパラメータの測定タイミングについては、測定時の通電による放電を考慮して、時間的にずらすように設定してもよい。
【０１３９】
パラメータ毎に異なる測定タイミング及び取得タイミング（または送信タイミング）等の例は以下である。測定周期及び取得周期（または送信周期）の設定例として、温度及び電圧については、測定周期＝５分、取得周期＝５分である。インピーダンスについては、測定周期＝１日、取得周期＝１日である。このような設定の場合、ある測定タイミングの時点では、温度、電圧、及びインピーダンスが測定される。別の測定タイミングの時点では、温度、電圧が測定される。
【０１４０】
また、測定タイミングと取得タイミング（または送信タイミング）とには、時間差を設定してもよい。また、測定周期よりも取得周期（または送信周期）を長くする設定としてもよい。例えば、電圧及び温度の取得周期を、測定周期の数倍としてもよい。この設定の場合、測定データ取得のための無線通信の回数を少なくできる。
【０１４１】
［単位時間測定回数の制御例（１）］
図９は、蓄電池装置６の単位時間測定回数Ｎの制御例を示す。図９の構成では、各蓄電池装置６は、１つの蓄電池５を含む。複数（ｍ）の蓄電池装置６のＩＤをＤ１〜Ｄｍで示す。各子機４の内部抵抗測定部４２３は、１つの蓄電池５のインピーダンス値Ｚを測定する。図９では、蓄電池装置６の蓄電池５毎に、単位時間測定回数Ｎを変化させる、及び異ならせる制御例を示す。例えば、ある時点で複数の蓄電池Ｂ１〜Ｂｍのインピーダンス値Ｚを測定した結果、インピーダンス値Ｚ１〜Ｚｍであった。例えば、蓄電池装置Ｄ２（子機Ｃ２）で測定した蓄電池Ｂ２のインピーダンス値Ｚ２が、他の蓄電池装置６の蓄電池５のインピーダンス値Ｚよりも、閾値以上に大きい差異があったとする。クラウドサーバ１は、蓄電池装置Ｄ２を、単位時間測定回数Ｎを一時的に多くする対象として決定する。クラウドサーバ１は、蓄電池装置Ｄ２の変化後の単位時間測定回数Ｎ２を決定する。
【０１４２】
クラウドサーバ１から統括親機２を通じて親機３に設定信号を送信する。親機３は、その設定信号に基づいて、対象の蓄電池装置Ｄ２及び単位時間測定回数Ｎ２の指定を含む設定信号７０１（Ｅ２）を、対象の蓄電池装置Ｄ２の子機Ｃ２へ送信する。子機Ｃ２は、その設定信号７０１（Ｅ２）に従って、単位時間測定回数Ｎ２を設定する。蓄電池装置Ｄ２の単位時間測定回数Ｎ２は、他の蓄電池装置６の単位時間測定回数Ｎ｛Ｎ１，Ｎ３，……，Ｎｍ｝よりも多い値（例えば１０回／５分）となっている。これにより、蓄電池装置Ｄ２では、測定の際に単位時間測定回数Ｎ２の回数分の放電が生じ、電圧や内部抵抗等の状態が、他の蓄電池装置６の状態に近付けられる。
【０１４３】
［単位時間測定回数の制御例（２）］
図１０は、蓄電池装置６の単位時間測定回数Ｎの他の制御例を示す。図１０の構成では、各蓄電池装置６は、直列接続された複数の蓄電池５（セル）から成る蓄電池ブロック（ＢＬで表す）を含む。図１０では、蓄電池装置Ｄ１の子機Ｃ１の部分を示すが、他の蓄電池装置６でも同様である。子機４は、蓄電池５のセル単位及びブロック単位で測定を行う機能を有する。蓄電池装置Ｄ１の子機Ｃ１は、前述の内部抵抗測定部４２３等を備える。この内部抵抗測定部４２３は、蓄電池ブロックＢＬ１と接続されている。蓄電池ブロックＢＬ１は、複数の蓄電池５として例えば４個の直列接続された蓄電池Ｂ１１〜Ｂ１４を有する。内部抵抗測定部４２３は、４個の蓄電池Ｂ１１〜Ｂ１４の個々の蓄電池５毎に配線が接続されており、個々の蓄電池５毎に内部抵抗（特にインピーダンス）を測定可能である。また、内部抵抗測定部４２３は、個々の蓄電池５の内部抵抗の合算として、蓄電池ブロックＢＬ１の単位での内部抵抗を測定可能である。
【０１４４】
子機Ｃ１の蓄電池ブロックＢＬ１に関する測定データを測定データＸ１とし、個々の蓄電池Ｂ１１〜Ｂ１４毎の測定データを測定データＸ１１〜Ｘ１４とする。各測定データにはインピーダンス値Ｚを含み、インピーダンス値Ｚ１１〜Ｚ１４とする。
【０１４５】
蓄電池装置Ｄ１（子機Ｃ１）には、予め、標準設定値として、測定周期Ｊ１及び単位時間測定回数Ｎ１が設定されている。例えば、蓄電池ブロックＢＬ１及びその各蓄電池５について、インピーダンスの測定周期Ｊ１及び単位時間測定回数Ｎ１が適用される。
【０１４６】
クラウドサーバ１は、監視処理によって、複数の蓄電池装置６の各蓄電池ブロックの状態を把握する。クラウドサーバ１は、例えば蓄電池装置Ｄ１の蓄電池ブロックＢＬ１の複数の蓄電池Ｂ１１〜Ｂ１４の電圧や内部抵抗等の状態を把握する。クラウドサーバ１は、蓄電池ブロックＢＬ１の複数の蓄電池Ｂ１１〜Ｂ１４の状態について、ある程度以上の差異があるかどうかを、前述と同様に判断する。クラウドサーバ１は、例えば、蓄電池Ｂ１２の電圧や内部抵抗が、他の蓄電池５よりも相対的に大きいと判断した場合、その蓄電池Ｂ１２を、単位時間測定回数Ｎを一時的に多くする対象として決定する。クラウドサーバ１は、対象の蓄電池装置Ｄ１の対象の蓄電池Ｂ１２の指定を含む設定信号を、統括親機２を通じて、親機３に送信する。親機３は、対応する設定信号７０１を、対象の蓄電池装置Ｄ１の子機Ｃ１に送信する。この設定信号７０１は、少なくとも、対象の蓄電池Ｂ１２の単位時間測定回数Ｎ１２の指定を含む。設定信号７０１には、蓄電池ブロックの複数の各々の蓄電池５の単位時間測定回数Ｎの指定を含んでもよい。
【０１４７】
なお、子機４が蓄電池ブロック単位で測定し、個別の蓄電池セル単位では測定しない構成も可能である。その場合、蓄電池ブロック単位での測定周期Ｊ及び単位時間測定回数Ｎが制御される。
【０１４８】
［無線通信シーケンス（１）］
図１１は、実施の形態における親機３と子機４との間の無線通信シーケンスを示す。本例では、特に親機Ｐ１及び子機Ｃ１の部分を示すが、他の装置も同様である。本例では、親機取得方式の場合を示す。親機３と子機４との間では、所定の無線周波数のチャネルを用いてセッションが行われる。
【０１４９】
最初、ステップＳ１０１で、親機３から子機４へ、設定信号ＣＮＦ（前述の設定信号７０１に対応する）が送信されている。この設定信号ＣＮＦは、子機Ｃ１に測定周期Ｊ１及び単位時間測定回数Ｎ１を設定する場合の信号である。この設定信号ＣＮＦは、送信元の親機３のＩＤ（Ｐ１）、対象の子機４のＩＤ（Ｃ１）、測定周期Ｊ１及び単位時間測定回数Ｎ１を含む。ステップＳ１０２で、子機４（Ｃ１）は、設定信号ＣＮＦを受信し、自機に測定周期Ｊ１及び単位時間測定回数Ｎ１を設定する。
【０１５０】
その後、ステップＳ１０３で、子機４は、測定周期Ｊ１等に基づいて測定タイミングを確認する。子機４の測定制御部４０１は、設定情報４１１に基づいて、測定タイミングになったかどうかを確認する。子機４は、測定タイミングになった場合、必要な回路等の部分をスリープ状態から復帰させる。なお、この確認は、タイマ等を用いて測定タイミング毎に通知や復帰させること等でもよい。
【０１５１】
ステップＳ１０４で、子機４は、測定タイミングになった時に、設定されている単位時間測定回数Ｎに従って、連続的に複数回の測定を行い、各測定値を含む測定データＸ１を記憶部４１０に記憶する。ステップＳ１０４で、子機４は、測定終了後にスリープ状態に遷移する。
【０１５２】
その後、ステップＳ１０６で、親機３（Ｐ１）は、取得周期やスケジュール等に基づいた取得タイミングになった時に、測定データ要求信号ＤＲＥＱを、対象の子機４（Ｃ１）へ送信する。測定データ要求信号ＤＲＥＱは、送信元の親機３のＩＤ（Ｐ１）、対象の子機４（Ｃ１）のＩＤ、測定データ取得要求の旨を含む。
【０１５３】
ステップＳ１０７で、子機４（Ｃ１）は、無線通信インタフェース部４０３を通じて測定データ要求信号ＤＲＥＱを受信すると、スリープ状態から復帰する。子機４の測定データ提供部４０２は、測定データ要求信号ＤＲＥＱの内容を確認する。測定データ提供部４０２は、記憶部４１０に保持されている対象の測定データＸ１（前回の送信時以降に蓄積されている測定データ）を読み出す。測定データ提供部４０２は、その測定データＸ１を含む測定データ応答信号ＤＲＥＳ（前述の測定データ信号７０２に対応する）を作成する。測定データ応答信号ＤＲＥＳは、送信元の子機４のＩＤ（Ｃ１）、送信先の親機３のＩＤ（Ｐ１）、測定データＸ１を含む。測定データ提供部４０２は、測定データ応答信号ＤＲＥＳを、無線通信インタフェース部４０３を通じて親機３（Ｐ１）へ送信する。親機３（Ｐ１）は、測定データ応答信号ＤＲＥＳを受信し、測定データＸ１を取得する。
【０１５４】
ステップＳ１０９で、親機３（Ｐ１）は、受領確認信号ＤＡＣＫを子機４（Ｃ１）へ送信する。受領確認信号ＤＡＣＫは、親機３が子機４から測定データを受領したことを相互に確認するための信号である。ステップＳ１１０で、子機４（Ｃ１）は、受領確認信号ＤＡＣＫを受信し、内容を確認した後、スリープ状態に遷移する。上記シーケンスを通じて、親機Ｐ１は、子機Ｃ１から測定データＸ１を取得できる。他の子機４とのシーケンスも同様である。
【０１５５】
なお、子機自動送信方式を用いる場合、シーケンスとしては、上記測定データ要求信号ＤＲＥＱが無く、子機４での送信タイミング確認に基づいて、送信タイミング毎に測定データ信号７０２が送信される。この方式では、予め、子機４には、パラメータ毎の測定周期や送信周期が設定される。あるいは、子機４には、上位の装置から、送信タイミングを含むスケジュールが設定されてもよい。なお、測定タイミングと送信タイミングとを同じまたは近いタイミングに設定してもよい。
【０１５６】
親機取得方式の場合、親機３は、複数の各子機４に対して並行的に複数の測定データ要求信号を送信し、複数の各子機４から並行的に複数の測定データ信号を受信してもよい。また、親機３は、複数の各子機４に対して、個別の子機４毎に順次に測定データ要求信号を送信し、個別の子機４から順次に測定データ信号を受信してもよい。子機自動送信方式の場合、複数の子機４から並行的に複数の測定データ信号を送信してもよい。また、複数の子機４から、各送信タイミングをずらすようにして、個別の子機４毎に順次に測定データ信号を送信してもよい。
【０１５７】
［無線通信シーケンス（２）］
図１２は、親機３と子機４との他の無線通信シーケンスの例を示す。本例は、親機３から個別の子機４へ、単位時間測定回数Ｎの指定を含む測定指示信号を送信する場合を示す。ステップＳ２００で、予め、子機３（Ｃ１）には、測定周期Ｊ及び単位時間測定回数Ｎの標準設定値等が設定されている。
【０１５８】
ステップＳ２０１で、親機Ｐ１は、上位装置からの指示に基づいて、測定指示信号ＭＳを対象の子機Ｃ１へ送信する。測定指示信号ＭＳは、対象の蓄電池装置６（子機４）で即時に測定を行わせ、即時に測定データを親機４へ取得するための信号である。測定指示信号ＭＳは、送信元の親機３のＩＤ（Ｐ１）、対象の子機４のＩＤ（Ｃ１）、単位時間測定回数Ｎ１、測定取得指示の旨を含む。子機４（Ｃ１）は、測定指示信号ＭＳを受信し、スリープ状態から復帰する。子機４（Ｃ１）は、測定指示信号ＭＳの内容を確認し、単位時間測定回数Ｎ１を参照する。ステップＳ２０３で、子機４（Ｃ１）の測定制御部４０１は、単位時間測定回数Ｎ１の指定に従って、連続的に複数回の測定を行い、測定データＸ１を記憶部４１０に記憶する。子機４（Ｃ１）の測定データ提供部４０２は、測定データＸ１を含む測定データ信号ＭＤ（前述の測定データ信号７０２に対応する）を作成する。測定データ信号ＭＤは、送信元の子機４のＩＤ（Ｃ１）、送信先の親機３のＩＤ（Ｐ１）、測定データＸ１を含む。ステップＳ２０５で、子機４（Ｃ１）は、送信終了後にスリープ状態に遷移する。
【０１５９】
なお、上記シーケンスに限らず、測定指示信号を、測定のみを行わせる信号とし、後で別のタイミングで測定データ要求信号を用いて測定データを取得するようにしてもよい。
【０１６０】
［測定］
図１の蓄電池状態監視システムで、子機４による蓄電池５のパラメータの測定の概要は以下である。図３のような構成で、子機４の測定制御部４０１は、自機の設定情報４１１に基づいて、測定タイミング毎に、自動的に、関係付けられる蓄電池５の所定のパラメータを測定する。その際、測定制御部４０１は、温度測定部４２１等の各部を制御して測定を行わせ、測定値を得る。測定制御部４０１は、測定データ提供部４０２を通じて、測定値を含む測定データ４１２を、記憶部４１０に記憶する。
【０１６１】
子機４での測定のうち内部抵抗の測定については以下である。なお、蓄電池５の内部抵抗は、主にインピーダンスであり、リアクタンスも測定時に含まれるが、総称して「内部抵抗」と記載する。
【０１６２】
（１）  内部抵抗のうちの直流成分である直流抵抗値（Ｒ）については、制御電源装置６０の充放電情報に基づいて、蓄電池５の充放電時の電圧値（Ｖ）及び電流値（Ｉ）を用いて計算できる（Ｒ＝Ｖ／Ｉ）。
【０１６３】
（２）  内部抵抗のうちの交流成分であるインピーダンス値（Ｚ）については、測定周波数での交流電流値と、対応する電圧値とを用いて計算できる。
【０１６４】
実施の形態では、蓄電池５の種類等を考慮して、３種類の測定周波数（ｆ１，ｆ２，ｆ３）を用い、子機４は、対応する３種類のインピーダンス値（Ｚ１，Ｚ２，Ｚ３）を測定する。また、時間軸での傾向の判定のために、各測定周波数でのインピーダンスの初期値（Ｚ１ｓ，Ｚ２ｓ，Ｚ３ｓ）も用いる。その初期値については、測定データ履歴情報１１２における最初の測定データから得てもよい。その初期値については、設定情報１１１の１つとして予め蓄電池５毎に測定し記録した値やユーザ設定値を用いてもよい。
【０１６５】
実施の形態では、測定周波数として以下の設定とする。
【０１６６】
第１周波数ｆ１：  ３５０Ｈｚ以上２０００Ｈｚ未満
第２周波数ｆ２：  １００Ｈｚ未満
第３周波数ｆ３：  １００Ｈｚ以上３００Ｈｚ未満。
【０１６７】
第１周波数ｆ１は、相対的に高周波領域から選択された１つの周波数である。第２周波数ｆ２は、相対的に低周波領域から選択された１つの周波数である。第３周波数ｆ３は、相対的に中間周波領域から選択された１つの周波数である。第１周波数ｆ１は、１ｋＨｚ程度とすればよい。第１周波数ｆ１は、好ましくは、８００Ｈｚ以上１２００Ｈｚ未満とする。第２周波数ｆ２は、商用電源の周波数（５０Ｈｚや６０Ｈｚ）と干渉しない周波数とする。
【０１６８】
測定周波数について、特定の蓄電池５に限定しない一般的な表現としては以下である。第１周波数は、高周波領域として２００Ｈｚ以上２０００Ｈｚ未満から選択された１つ以上の周波数である。第２周波数は、低周波領域として２００Ｈｚ未満から選択された１つ以上の周波数である。上記のように、複数種類の測定周波数を用いることにより、蓄電池５の劣化判定等の精度を高くできる。上記に限らず、より多くの測定周波数を用いてもよく、その場合、より精度を高くできる。
【０１６９】
［クラウドサーバ−処理］
図１３は、クラウドサーバ１の監視処理を含む処理フローを示す。図１３は、ステップＳ１１〜Ｓ２０を有する。以下、ステップの順に説明する。
【０１７０】
Ｓ１１で、クラウドサーバ１（詳しくは監視処理部１０３）は、監視処理タイミングであるかどうかを確認し、そのタイミングである場合（Ｙ）にはＳ１２以下の処理を行い、そうでない場合（Ｎ）には他の処理を行う。クラウドサーバ１は、例えば、設定に基づいた、測定データの取得周期に合わせた定期タイミング、または任意時点でのユーザの監視処理指示入力がある場合には、監視処理を行う。
【０１７１】
Ｓ１２で、クラウドサーバ１は、ＤＢ１００の測定データ履歴情報１１２から最新の測定データを参照し、また、対応する充放電情報を参照する。クラウドサーバ１は、測定データ中の所定のパラメータの測定値や、充放電情報における充放電時の電流値等の測定値を参照する。クラウドサーバ１は、蓄電池５毎に、各時点での温度値、電圧値、内部抵抗のインピーダンス値を参照する。また、クラウドサーバ１は、蓄電池５の充放電時における内部抵抗の直流抵抗値を参照する。あるいは、クラウドサーバ１は、ユーザ指示入力等に基づいて、最新の測定データを取得するための指示を統括親機２に送信することで、最新の測定データを取得する。
【０１７２】
Ｓ１３で、クラウドサーバ１は、測定データ等に基づいて、蓄電池５の初期故障または偶発故障等の突発的な故障／障害／異常が発生していないかどうかを判定する。この判定は、例えば、温度値や電圧値と閾値との比較による異常判定を含む。この判定は、所定の比較的短い測定周期（例えば５分）での測定値を用いる。クラウドサーバ１は、例えば、温度値及び電圧値を、それぞれ所定の閾値と比較し、閾値以上である場合には、異常状態と判定する。例えば、温度値が室温＋１０℃を超えた場合には、軽度の異常と判定され、室温＋２０℃を超えた場合には、重度の異常として直ちに交換が必要な状態と判定される。Ｓ１３で、初期故障または偶発故障等の突発的な故障／障害／異常と判定された場合（Ｙ）にはＳ１４へ進む。
【０１７３】
なお、変形例として、子機４は、上記のように測定値を用いて異常判定を行う機能を備えてもよい。子機４は、測定後に蓄電池５の異常状態と判定した場合、すぐに上位の装置（親機３）へ通知し、あるいはアラーム出力等を行う。
【０１７４】
Ｓ１４で、クラウドサーバ１は、上記判定の結果、初期故障／偶発故障、異常等と判定した場合、その初期故障／偶発故障、異常等の旨の監視情報を出力する。なお、蓄電池状態監視システムは、故障、障害、異常等と判定した蓄電池５の部分を、システムから切り離し（縮退）するように制御してもよい。
【０１７５】
Ｓ１５で、クラウドサーバ１は、測定データ等に基づいて、蓄電池５の劣化傾向及び劣化度合いを判定し、故障や寿命を推定及び判定する。この処理の際、クラウドサーバ１は、電圧値と所定の閾値とを用いて、所定の電圧降下や電圧上昇の有無を判定する。なお、この閾値は、蓄電池５の特性曲線、稼働時間（アレニウス則による換算時間）、設定電圧（平均電圧）、負荷状態等に基づいて設定できる。クラウドサーバ１は、例えば、電圧降下量が閾値以上である場合、所定の電圧降下があると判定し、即ち蓄電池５の故障や寿命であると判定する。Ｓ１５で、故障や寿命と判定された場合（Ｙ）にはＳ１６へ進む。
【０１７６】
Ｓ１６で、クラウドサーバ１は、蓄電池５の故障や寿命等の旨の監視情報を出力する。
【０１７７】
Ｓ１７で、クラウドサーバ１は、Ｓ１５の処理に基づいて、蓄電池５の余寿命（現在時点から推定寿命時点までの時間）を計算する。クラウドサーバ１は、例えば、各測定周波数での内部抵抗値（Ｚ１，Ｚ２，Ｚ３）に基づいて、蓄電池容量を推定し、余寿命を計算する。クラウドサーバ１は、余寿命に基づいて、その蓄電池５の使用可能時間、交換時期を計算する。クラウドサーバ１は、蓄電池５毎に、推定寿命時期に対して所定の期間前を推奨交換時期として、蓄電池５の交換をユーザに推奨する。
【０１７８】
Ｓ１８で、クラウドサーバ１は、蓄電池５の余寿命の時間が、所定の閾値以上か否かを判断する。この閾値は、推定寿命時期（時点）または推奨交換時期（時点）との関係で設定できる。この閾値は、例えば、推定寿命時点または推奨交換時点よりも前の１つ以上の所定の期間（例えば１年、半年、３ヶ月等）として設定できる。
【０１７９】
クラウドサーバ１は、余寿命が閾値以上である場合（Ｙ）、例えばまだ交換時期に到達していない場合には、正常状態（余寿命がある状態）と判定し、Ｓ１９へ進む。クラウドサーバ１は、余寿命が閾値未満である場合（Ｎ）、例えば交換時期に到達した場合（または交換時期に近い場合等）には、余寿命が少ない状態、例えば交換時期に到達した状態と判定し、Ｓ２０へ進む。
【０１８０】
Ｓ１９で、クラウドサーバ１は、蓄電池５の正常状態（余寿命がある状態）の旨、余寿命に対応する使用可能時間、現時点の稼働時間等の情報を含む監視情報を出力する。
【０１８１】
Ｓ２０で、クラウドサーバ１は、蓄電池５の余寿命が少ない状態、例えば交換時期に到達した状態の旨、余寿命に対応する使用可能時間、推奨交換時期、現時点の稼働時間等の情報を含む監視情報を出力する。
【０１８２】
［統括親機−処理］
図１４は、統括親機２の処理のフローを示す。図１４は、ステップＳ２１〜Ｓ２９を有する。以下、ステップの順に説明する。
【０１８３】
Ｓ２１で、統括親機２は、顧客拠点の蓄電池システムの通信状況を確認する。例えば、統括親機２は、各親機３と通信し、親機３と複数の各子機４とが通信可能な状態か等を確認する。
【０１８４】
Ｓ２２で、統括親機２は、Ｓ２１の確認結果に基づいて、顧客拠点の蓄電池システムにおける測定データ収集のためのスケジュールを作成し、スケジュール情報として設定する。統括親機２は、スケジュールと共に、親機３と複数の各子機４との間の無線周波数についても設定する。
【０１８５】
Ｓ２３で、統括親機２は、Ｓ２２で作成したスケジュール情報を、クラウドサーバ１及び親機３へ送信する。クラウドサーバ１側は、そのスケジュール情報の通知に基づいて、その顧客拠点からの測定データ収集のスケジュールを把握できる。親機３側は、そのスケジュール情報を含む設定指示に基づいて、設定を行い、そのスケジュールに従って親機３と子機４との無線通信を行う。
【０１８６】
Ｓ２４で、統括親機２は、上位のクラウドサーバ１から信号を受信したかを確認する。
【０１８７】
Ｓ２５で、統括親機２は、受信した信号の内容を確認する。その信号の内容が、設定指示である場合にはＳ２６へ進み、測定取得指示である場合にはＳ２７へ進む。
【０１８８】
Ｓ２６で、統括親機２は、上位からの設定情報を自機に設定し、親機３のための設定指示の信号を親機３へ送信する。
【０１８９】
Ｓ２７で、統括親機２は、測定取得指示の信号を親機３へ送信する。
【０１９０】
Ｓ２８で、統括親機２は、下位の親機３から測定データ信号を受信したかを確認する。受信した場合にはＳ２９へ進む。
【０１９１】
Ｓ２９で、統括親機２は、測定データ信号をクラウドサーバ１へ送信する。
【０１９２】
［親機−処理］
図１５は、親機３の処理のフローを示す。図１５は、ステップＳ３１〜Ｓ３８を有する。以下、ステップの順に説明する。
【０１９３】
Ｓ３１で、親機３は、上位の統括親機２から信号を受信したかを確認する。
【０１９４】
Ｓ３２で、親機３は、受信した信号の内容を確認する。その信号の内容が設定指示（スケジュール設定を含む）である場合にはＳ３３へ進み、測定取得指示である場合にはＳ３４へ進む。
【０１９５】
Ｓ３３で、親機３は、スケジュール設定を含む設定情報を自機に設定し、子機４のための設定情報がある場合には、その設定指示の信号（前述の設定信号７０１）を子機４へ送信する。特に、親機３は、単位時間測定回数Ｎや測定周期Ｊを変化させるための設定信号７０１を、対象の子機４へ送信する。
【０１９６】
Ｓ３４で、親機３は、測定取得指示の信号（前述の測定指示信号）を子機４へ送信する。特に、親機３は、単位時間測定回数Ｎを伴う測定指示信号を、子機４へ送信する。
【０１９７】
Ｓ３５で、親機３は、スケジュールに基づいた取得周期の取得タイミングであるかどうかを確認する。取得タイミングである場合（Ｙ）にはＳ３６へ進む。なお、この確認は、タイマを用いて取得タイミングになったら通知や起動を行うものでもよい。
【０１９８】
Ｓ３６で、親機３は、複数の子機４からスケジュールに基づいた取得対象の子機４を選択し、測定データ要求信号等の信号を送信する。
【０１９９】
Ｓ３７で、親機３は、取得対象の子機４からの測定データ信号７０２等の信号を受信したか確認する。受信した場合（Ｙ）にはＳ３８へ進む。
【０２００】
Ｓ３８で、親機３は、測定データ信号７０２から測定データを取得して、記憶部３１０に記憶し、スケジュールに従って測定データの信号を統括親機２へ送信する。
【０２０１】
［子機−処理］
図１６は、子機４の処理のフローを示す。図１６は、ステップＳ４１〜Ｓ５１を有する。以下、ステップの順に説明する。
【０２０２】
Ｓ４１で、最初、子機４は、省電力モードであり、非動作、スリープ状態である。子機４は、無線通信によって上位の親機４から信号を受信したかどうかを確認する。例えば、子機４の無線通信インタフェース部４０３は、親機３からの信号を受信した場合、その信号を測定データ提供部４０２に渡す。
【０２０３】
Ｓ４２で、子機４は、スリープ状態から通常状態に復帰する。
【０２０４】
Ｓ４３で、子機４の測定データ提供部４０２は、受信した信号の内容を確認する。例えば、信号内には、送信元の親機３のＩＤ、送信先（対象）の子機４のＩＤ、信号種類等が記載されている。信号種類等に基づいて、信号の内容が設定指示である場合にはＳ４４へ進み、測定データ要求信号である場合にはＳ４５へ進み、測定取得指示である場合にはＳ４６へ進む。
【０２０５】
Ｓ４４で、子機４は、指定された設定情報（測定周期Ｊや単位時間測定回数Ｎ）を自機に設定する。即ち、測定制御部４０１は、記憶部４１０に設定情報４１１を格納する。
【０２０６】
Ｓ４５で、子機４の測定データ提供部４０２は、測定データ要求信号の内容を確認し、測定データ信号（応答信号）を作成する。この際、測定データ提供部４０２は、記憶部４１０から、前回の測定データ信号の送信時からの未送信分の測定データを読み出し、その測定データを含む測定データ信号を作成する。測定データ提供部４０２は、その測定データ信号を、無線通信インタフェース部４０３に渡し、親機３へ送信させる。なお、測定データ要求信号等においてパラメータの指定を含んでもよい。その場合、子機４は、指定されたパラメータの測定データを応答する。
【０２０７】
Ｓ４６で、子機４の測定制御部４０１は、測定取得指示で指定されたパラメータの測定を行い、測定データを記憶部４１０に格納する。子機４は、その測定データを含む測定データ信号を、親機３へ送信する。
【０２０８】
Ｓ４７で、子機４の測定制御部４０１は、設定されたスケジュールや測定周期に基づいた測定タイミングであるかどうかを確認する。測定タイミングである場合（Ｙ）にはＳ４８へ進む。
【０２０９】
Ｓ４８で、子機４の測定制御部４０１は、各測定部を制御することで、蓄電池５の所定のパラメータを測定して測定値を得て、測定データ４１１を記憶部４１０に格納する。この際、測定制御部４０１は、単位時間測定回数Ｎの指定がある場合には、その値に従って、連続的に指定の時間間隔で指定の複数回（合計測定回数）の測定を行わせる。例えば、測定制御部４０１は、その時間間隔毎に、複数回、内部抵抗測定部４２３に測定指示を与える。測定データ提供部４０２は、測定データ４１１を内部メモリの領域（ロックされた領域以外）に書き込む。なお、Ｓ４８の際に、測定部等がスリープ状態であった場合には、スリープ状態から通常状態へ復帰する。
【０２１０】
Ｓ４８で、温度の測定タイミングの場合、温度測定部４２１は、蓄電池５の温度を測定する。電圧の測定タイミングの場合、電圧測定部４２２は、蓄電池５の端子間の電圧を測定する。内部抵抗の測定タイミングの場合、内部抵抗測定部４２３は、蓄電池５の端子間のインピーダンスを計算する。測定制御部４０１は、正弦波発生部４２４を用いて、３種類の測定周波数の正弦波を順に発生させて、それぞれのインピーダンスを測定させる。内部抵抗測定部４２３は、測定周波数に応じた交流電流値（例えば３アンペア以下）を蓄電池５に流し、その時の電圧値を測定し、その交流電流値及び電圧値からインピーダンス値を計算する。
【０２１１】
Ｓ４９で、子機４は、蓄電池５に充電または放電が発生しているかどうかを確認する。この確認は、蓄電池５の電圧降下／電圧上昇の判定としてもよいし、制御電源制御６０の充放電情報に基づいて、親機３から充放電の有無が通知されることとしてもよい。充放電が有る場合（Ｙ）にはＳ５０へ進む。
【０２１２】
Ｓ５０で、子機４は、Ｓ４９の充放電の有無に応じた処理として、測定データのロック／解除を行う。子機４は、蓄電池５の放電（電圧降下）または充電（電圧上昇）が有る場合には、その充放電時を含む所定時間範囲における測定データをロックする。このロックは、その時の測定データが消失しないように保護し、時間的に後で取得可能とすることである。子機４は、充放電が終わったと判定した場合、測定データのロックを解除する。
【０２１３】
なお、蓄電池５は、通常時には一定電圧を維持するように制御されている。即ち、制御電源装置６０の制御に基づいて、蓄電池５のＳＯＣが１００％になるように、充電が制御されている。非常時等には、制御電源装置６０の制御に基づいて、電源装置４０が稼動し、蓄電池５からの放電が開始される。この際、蓄電池５には大きな直流電流が流れて急峻な電圧降下が発生し、その後に漸次に電圧が低下してゆく。また、非常時等からの復旧時には、蓄電池５への充電が開始される。この際、蓄電池５には電圧上昇が発生する。上記放電／充電に伴う電圧降下／電圧上昇は、蓄電池５の種類に応じた所定の特性を有し、所定の電圧閾値や時間閾値を用いて判定可能である。
【０２１４】
ユーザまたはクラウドサーバ１や統括親機２は、制御電源装置６０の充放電情報に基づいて、充放電の有無等を認識できる。ユーザまたはクラウドサーバ１等は、ロックされた測定データの取得の要求を、親機３を通じて子機４へ送信する。子機４は、ロックされた測定データを含む応答信号を親機４へ送信する。クラウドサーバ１は、上記充放電の際にロックした測定データを取得することで、より高精度の推定等が可能である。
【０２１５】
Ｓ５１で、子機４は、必要な処理や動作の有無や時間の判定に基づいて、スリープ状態へ遷移する。
【０２１６】
［効果等］
上記のように、実施の形態の蓄電池状態監視システム等によれば、複数の蓄電池装置６の測定の単位時間測定回数Ｎを制御することで蓄電池群５０の状態をバランスさせる機能を有する。これにより、蓄電池群５０の状態をなるべく均一にして、均一な充電ができ、蓄電池５の長寿命化を図ることができる。ユーザが手動で各蓄電池５の状態を測定する手間も削減できる。ユーザの手動によって任意時点で所望の蓄電池５の自己点検が行われた場合でも、蓄電池群５０の状態をなるべく均一にできる。実施の形態の蓄電池状態監視システムは、蓄電池５に対する充放電をサイクルとして繰り返す用途に特に有効である。
【０２１７】
実施の形態の変形例の蓄電池状態監視システムとして、以下が挙げられる。
【０２１８】
実施の形態では、蓄電池の測定及び放電を制御する際の通信手段として、親機３と子機４との無線通信網８０を適用したが、これに限らず、有線通信網を適用してもよい。また、実施の形態のシステムは、発電装置を含むシステムにも適用可能である。
【０２１９】
［変形例−蓄電池状態監視システム］
図１７は、実施の形態の変形例の蓄電池状態監視システムの構成を示す。この変形例のシステムでは、図１の構成に対し異なる点として、複数（２台）の親機３（３Ａ，３Ｂ）と複数（ｍ）の各蓄電池装置６及び子機４とが、無線通信網８０ではなく、有線通信網８１（有線ＬＡＮ）で接続されている。ゲートウェイサーバ２１、統括親機２、複数の親機３、及び制御電源装置６０は、通信網７０で接続されている。有線通信網８１における通信内容は、前述の実施の形態と同様である。
【０２２０】
また、制御電源装置６０には、電力ラインを通じて発電装置６１が電気的接続されている。発電装置６１は、例えば太陽光発電装置、風力発電装置等が挙げられる。発電装置６１は、発電電力を、電力ラインを通じて制御電源装置６０に供給する。制御電源装置６０は、内部に充放電制御部を備えている。制御電源装置６０は、発電装置６１からの発電電力と、電力系統からの電力とを適宜切り替えて、電源装置４０の蓄電池群５０に対する充電を制御する。このような構成でも、蓄電池群５０に対する均一な充電が可能である。
【０２２１】
以上、本発明を実施の形態に基づいて具体的に説明したが、本発明は前述の実施の形態に限定されず、その要旨を逸脱しない範囲で種々変更可能である。本発明の構成要素の追加や削除や置換、分離や併合、組み合わせ等が可能である。他の実施の形態としては、クラウドサーバ１の監視処理の一部を、統括親機２、親機３、または子機４で実行する形態も可能である。
【符号の説明】
【０２２２】
１…クラウドサーバ（監視処理装置）、２…統括親機、３…親機（中継装置）、４…子機（測定通信装置）、５…蓄電池、６…蓄電池装置（測定通信装置付き蓄電池）、９…ユーザ端末、２０…拠点制御装置、４０…電源装置、５０…蓄電池群、６０…制御電源装置、８０…無線通信網、７００…設定信号、７０１…設定信号、７０２…測定データ信号。
【図１】
2019060774.tif 000003
【図２】
2019060774.tif 000004
【図３】
2019060774.tif 000005
【図４】
2019060774.tif 000006
【図５】
2019060774.tif 000007
【図６】
2019060774.tif 000008
【図７】
2019060774.tif 000009
【図８】
2019060774.tif 000010
【図９】
2019060774.tif 000011
【図１０】
2019060774.tif 000012
【図１１】
2019060774.tif 000013
【図１２】
2019060774.tif 000014
【図１３】
2019060774.tif 000015
【図１４】
2019060774.tif 000016
【図１５】
2019060774.tif 000017
【図１６】
2019060774.tif 000018
【図１７】
2019060774.tif 000019